(57)【要約】  様々なトーンプランによるワイヤレス通信のための方法および装置が提供される。一態様では、方法は、第1のデバイスが40MHz、80MHzまたは160MHzの第1の周波数範囲内でデータを通信し、第2のデバイスが第1の周波数範囲の20MHzの第2の周波数範囲内でデータを通信すると決定するステップと、この決定に基づいて第1のデバイスに対する第1の通信パラメータおよび第2のデバイスに対する第2の通信パラメータを選択するステップと、第2の通信パラメータに従って第2のデバイスと第2のデータを通信するのと少なくとも部分的に同時に、第1の通信パラメータに従って第1のデバイスと第1のデータを通信するステップとを含む。
2019512936.tif 000002
【特許請求の範囲】
【請求項１】
複数のデバイスと通信するための装置であって、
第1のデバイスが40MHz、80MHz、160MHzもしくは80MHz+80MHzの帯域幅から選択された第1のチャネル幅内で通信可能であり、第2のデバイスが20MHzの帯域幅の第2のチャネル幅内で通信可能であると決定することであって、前記第1および前記第2のチャネル幅の動作スペクトルが重複し、前記第2のチャネル幅が前記第1のチャネル幅の中にある、決定することと、
前記決定に基づいて前記第1のデバイスによって通信するための第1のトーンプランを選択することであって、前記第1のトーンプランが前記第1のチャネル幅内の1つまたは複数のリソースユニット内のトーンを含む、選択することと、
前記決定に基づいて前記第2のデバイスによって通信するための第2のトーンプランを選択することであって、前記第2のトーンプランが前記第2のチャネル幅内の1つまたは複数のリソースユニット内のトーンを含む、選択することと、
前記第2のトーンプランに従って前記第2のデバイスと第2のデータを通信するのと少なくとも部分的に同時に、前記第1のトーンプランに従って前記第1のデバイスと第1のデータを通信することと
を行うように構成された電子ハードウェアプロセッサを備える、装置。
【請求項２】
前記第1および前記第2のトーンプランが、通信のための前記第1および前記第2のチャネル幅を重複させる20MHzの帯域幅内で中央の26トーンリソースユニットの使用を制限する、請求項1に記載の装置。
【請求項３】
前記電子ハードウェアプロセッサが、前記第1のチャネル幅に対して40MHzを選択するように構成され、前記第2のトーンプランが、通信のための20MHzの第2の帯域幅の前記第2のチャネル幅の第5および第14の26トーンリソースユニットの使用を制限する、請求項1に記載の装置。
【請求項４】
前記電子ハードウェアプロセッサが、前記第1のチャネル幅に対して80MHzを選択するように構成され、前記第2のトーンプランが、通信のための前記第2のチャネル幅内で第5、第10、第14、第19、第24、第28および第33の26トーンリソースユニットの使用を制限する、請求項1に記載の装置。
【請求項５】
前記電子ハードウェアプロセッサが、前記第1のチャネル幅に対して160MHzまたは80+80MHzのいずれかを選択するように構成され、前記第2のトーンプランが、通信のための前記第2のチャネル幅内で第5、第10、第14、第19、第24、第28および第33の26トーンリソースユニットの使用を制限する、請求項1に記載の装置。
【請求項６】
前記電子ハードウェアプロセッサが、前記第1のチャネル幅に対して80MHzを選択するように構成され、前記第2のトーンプランが、通信のための前記第2のチャネル幅内で第5および第12の52トーンリソースユニットの使用を制限する、請求項1に記載の装置。
【請求項７】
前記電子ハードウェアプロセッサが、前記第1のチャネル幅に対して160MHzまたは80+80MHzを選択するように構成され、前記第2のトーンプランが、通信のための前記第2のチャネル幅内で第5および第12の52トーンリソースユニットの使用を制限する、請求項1に記載の装置。
【請求項８】
前記電子ハードウェアプロセッサが、前記第1のチャネル幅に対して80MHzを選択するように構成され、前記第2のトーンプランが、通信のための前記第2のチャネル幅内で第3および第6の106トーンリソースユニットの使用を制限する、請求項1に記載の装置。
【請求項９】
前記電子ハードウェアプロセッサが、前記第1のチャネル幅に対して160MHzまたは80+80MHzを選択するように構成され、前記第2のトーンプランが、通信のための前記第2のチャネル幅内で第3および第6の106トーンリソースユニットの使用を制限する、請求項1に記載の装置。
【請求項１０】
前記電子ハードウェアプロセッサがさらに、
第3のデバイスが前記第1のチャネル幅内でデータを通信し、第4のデバイスが前記第2のチャネル幅内でデータを通信すると決定することと、
前記決定に基づいて前記第3のデバイスのための前記第1のトーンプランおよび前記第4のデバイスのための前記第2のトーンプランを選択することと、
前記第2のトーンプランに従って前記第4のデバイスと第4のデータを通信するのと少なくとも部分的に同時に、前記第1のトーンプランに従って前記第3のデバイスと第3のデータを通信することとを行うようにさらに構成される、請求項1に記載の装置。
【請求項１１】
前記電子ハードウェアプロセッサが、前記第1および前記第2のデータの前記通信と少なくとも部分的に同時に、前記第3および前記第4のデータを通信するようにさらに構成される、請求項10に記載の装置。
【請求項１２】
前記電子ハードウェアプロセッサは、前記第1のデバイスが前記第1のチャネル幅内でデータを送信し、前記第2のトーンプランが通信のための前記第2のチャネル幅内で242トーンリソースユニットの使用を制限すると決定するように構成される、請求項1に記載の装置。
【請求項１３】
前記電子ハードウェアプロセッサは、前記第1のデバイスが前記第1のチャネル幅内でデータを受信し、前記第2のトーンプランが通信のための前記第2のチャネル幅内で242トーンリソースユニットの使用を制限すると決定するように構成される、請求項1に記載の装置。
【請求項１４】
前記電子ハードウェアプロセッサは、前記第1のデバイスが前記第1の帯域幅内でデータを受信し、前記第2のトーンプランが通信のための前記第2のチャネル幅内で242トーンリソースユニットの使用を制限しないと決定するように構成される、請求項1に記載の装置。
【請求項１５】
複数のデバイスとデータを通信する方法であって、
第1のデバイスが40MHz、80MHz、160MHzもしくは80MHz+80MHzの帯域幅から選択された第1のチャネル幅内で通信可能であり、第2のデバイスが20MHzの帯域幅の第2のチャネル幅内で通信可能であると決定するステップであって、前記第1および前記第2のチャネル幅の動作スペクトルが重複しており、前記第2のチャネル幅が前記第1のチャネル幅の中にある、決定するステップと、
前記決定に基づいて前記第1のデバイスによって通信するための第1のトーンプランを選択するステップであって、前記第1のトーンプランが前記第1のチャネル幅内の1つまたは複数のリソースユニット内のトーンを含む、選択するステップと、
前記決定に基づいて前記第2のデバイスによって通信するための第2のトーンプランを選択するステップであって、前記第2のトーンプランが前記第2のチャネル幅内の1つまたは複数のリソースユニット内のトーンを含む、選択するステップと、
前記第2のトーンプランに従って前記第2のデバイスと第2のデータを通信するのと少なくとも部分的に同時に、前記第1のトーンプランに従って前記第1のデバイスと第1のデータを通信するステップとを含む、方法。
【請求項１６】
前記第1および前記第2のトーンプランが、通信のための前記第1および前記第2のチャネル幅を重複させる20MHzの帯域幅内で中央の26トーンリソースユニットの使用を制限する、請求項15に記載の方法。
【請求項１７】
前記第1のチャネル幅に対して40MHzを選択するステップと、通信のための20MHzの第2の帯域幅の前記第2のチャネル幅の第5および第14の26トーンリソースユニットの使用を制限する第2のトーンプランを選択するステップとをさらに含む、請求項15に記載の方法。
【請求項１８】
前記第1のチャネル幅に対して80MHzを選択するステップと、通信のための前記第2のチャネル幅内で第5、第10、第14、第19、第24、第28および第33の26トーンリソースユニットの使用を制限する第2のトーンプランを選択するステップとをさらに含む、請求項15に記載の方法。
【請求項１９】
前記第1のチャネル幅に対して160MHzまたは80+80MHzを選択するステップと、通信のための前記第2のチャネル幅内で第5、第10、第14、第19、第24、第28および第33の26トーンリソースユニットの使用を制限する第2のトーンプランを選択するステップとをさらに含む、請求項15に記載の方法。
【請求項２０】
前記第1のチャネル幅に対して80MHzを選択するステップと、通信のための前記第2のチャネル幅内で第5および第12の52トーンリソースユニットの使用を制限する第2のトーンプランを選択するステップとをさらに含む、請求項15に記載の方法。
【請求項２１】
前記第1のチャネル幅に対して160MHzまたは80+80MHzを選択するステップと、通信のための前記第2のチャネル幅内で第5および第12の52トーンリソースユニットの使用を制限する第2のトーンプランを選択するステップとをさらに含む、請求項15に記載の方法。
【請求項２２】
前記第1のチャネル幅に対して80MHzを選択するステップと、通信のための前記第2のチャネル幅内で第3および第6の106トーンリソースユニットの使用を制限する第2のトーンプランを選択するステップとをさらに含む、請求項15に記載の方法。
【請求項２３】
前記第1のチャネル幅に対して160MHzまたは80+80MHzを選択するステップと、通信のための前記20MHzの第2のチャネル幅内で第3および第6の106トーンリソースユニットの使用を制限する第2のトーンプランを選択するステップとをさらに含む、請求項15に記載の方法。
【請求項２４】
第3のデバイスが前記第1のチャネル幅内でデータを通信し、第4のデバイスが前記第2のチャネル幅内でデータを通信すると決定するステップと、
前記決定に基づいて前記第3のデバイスのための前記第1のトーンプランおよび前記第4のデバイスのための前記第2のトーンプランを選択するステップと、
前記第2のトーンプランに従って前記第4のデバイスと第4のデータを通信するのと少なくとも部分的に同時に、前記第1のトーンプランに従って前記第3のデバイスと第3のデータを通信するステップとをさらに含む、請求項15に記載の方法。
【請求項２５】
前記第1および前記第2のデータの前記通信と少なくとも部分的に同時に、前記第3および前記第4のデータを通信するステップをさらに含む、請求項24に記載の方法。
【請求項２６】
前記電子ハードウェアプロセッサは、前記第1のデバイスが前記第1のチャネル幅内でデータを送信し、前記第2のトーンプランが通信のための前記第2のチャネル幅内で242トーンリソースユニットの使用を制限すると決定するように構成される、請求項15に記載の方法。
【請求項２７】
前記電子ハードウェアプロセッサは、前記第1のデバイスが前記第1のチャネル幅内でデータを受信し、前記第2のトーンプランが通信のための前記第2のチャネル幅内で242トーンリソースユニットの使用を制限すると決定するように構成される、請求項15に記載の方法。
【請求項２８】
前記電子ハードウェアプロセッサは、前記第1のデバイスが前記第1の帯域幅内でデータを受信し、前記第2のトーンプランが通信のための前記第2のチャネル幅内で242トーンリソースユニットの使用を制限しないと決定するように構成される、請求項15に記載の方法。
【請求項２９】
複数のデバイスとデータを通信するための装置であって、
第1のデバイスが40MHz、80MHz、160MHzもしくは80MHz+80MHzの帯域幅から選択された第1のチャネル幅内で通信可能であり、第2のデバイスが20MHzの帯域幅の第2のチャネル幅内で通信可能であると決定するための手段であって、前記第1および前記第2のチャネル幅の動作スペクトルが重複しており、前記第2のチャネル幅が前記第1のチャネル幅の中にある、決定するための手段と、
前記決定に基づいて前記第1のデバイスによって通信するための第1のトーンプランを選択するための手段であって、前記第1のトーンプランが前記第1のチャネル幅内の1つまたは複数のリソースユニット内のトーンを含む、選択するための手段と、
前記決定に基づいて前記第2のデバイスによって通信するための第2のトーンプランを選択するための手段であって、前記第2のトーンプランが前記第2のチャネル幅内の1つまたは複数のリソースユニット内のトーンを含む、選択するための手段と、
前記第2のトーンプランに従って前記第2のデバイスと第2のデータを通信するのと少なくとも部分的に同時に、前記第1のトーンプランに従って前記第1のデバイスと第1のデータを通信するための手段とを含む、装置。
【請求項３０】
実行されると、ハードウェアプロセッサに複数のデバイスとデータを通信する方法を実行させる命令を含むコンピュータ可読記憶媒体であって、前記方法が、
第1のデバイスが40MHz、80MHz、160MHzもしくは80MHz+80MHzの帯域幅から選択された第1のチャネル幅内で通信可能であり、第2のデバイスが20MHzの帯域幅の第2のチャネル幅内で通信可能であると決定するステップであって、前記第1および前記第2のチャネル幅の動作スペクトルが重複しており、前記第2のチャネル幅が前記第1のチャネル幅の中にある、決定するステップと、
前記決定に基づいて前記第1のデバイスによって通信するための第1のトーンプランを選択するステップであって、前記第1のトーンプランが前記第1のチャネル幅内の1つまたは複数のリソースユニット内のトーンを含む、選択するステップと、
前記決定に基づいて前記第2のデバイスによって通信するための第2のトーンプランを選択するステップであって、前記第2のトーンプランが前記第2のチャネル幅内の1つまたは複数のリソースユニット内のトーンを含む、選択するステップと、
前記第2のトーンプランに従って前記第2のデバイスと第2のデータを通信するのと少なくとも部分的に同時に、前記第1のトーンプランに従って前記第1のデバイスと第1のデータを通信するステップとを含む、コンピュータ可読記憶媒体。
【発明の詳細な説明】
【技術分野】
【０００１】
本開示のいくつかの態様は、一般にワイヤレス通信に関し、より詳細には、デバイスがデータを受信することができる異なる周波数範囲を有するデバイスへの送信を多重化するための方法および装置に関する。
【背景技術】
【０００２】
多くの電気通信システムでは、空間的に離れた、いくつかの対話するデバイスの間でメッセージを交換するために、通信ネットワークが使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク(WAN)、メトロポリタンエリアネットワーク(MAN)、ローカルエリアネットワーク(LAN)、またはパーソナルエリアネットワーク(PAN)として指定され得る。ネットワークはまた、様々なネットワークノードとデバイスとを相互接続するために使用される交換/ルーティング技法(たとえば、回線交換対パケット交換)、送信のために採用される物理媒体のタイプ(たとえば、ワイヤード対ワイヤレス)、および使用される通信プロトコルのセット(たとえば、インターネットプロトコルスイート、SONET(同期光ネットワーキング)、イーサネット（登録商標）など)によっても異なる。
【０００３】
ワイヤレスネットワークは、ネットワーク要素がモバイルであり、したがって動的な接続性の必要性を有するとき、またはネットワークアーキテクチャが固定トポロジではなくアドホックトポロジで形成される場合、好適であることが多い。ワイヤレスネットワークは、無線、マイクロ波、赤外線、光などの周波数帯域内の電磁波を使用して、無誘導伝搬モードにおいて無形物理媒体を用いる。ワイヤレスネットワークは、有利には、固定ワイヤードネットワークと比較すると、ユーザモビリティおよび迅速なフィールド展開を容易にする。
【発明の概要】
【発明が解決しようとする課題】
【０００４】
ワイヤレスネットワーク中のデバイスは、互いの間で情報を送信/受信することができる。デバイス送信は互いに干渉することがあり、いくつかの送信は他の送信を選択的に阻止することがある。数多くのデバイスが通信ネットワークを共有するとき、輻輳および非効率的なリンク使用が生じる可能性がある。このため、高効率ワイヤレスネットワークにおいて通信効率を改善するためのシステム、方法および非一時的コンピュータ可読媒体が必要とされる。
【課題を解決するための手段】
【０００５】
添付の特許請求の範囲内のシステム、方法およびデバイスの様々な実装形態は、それぞれいくつかの態様を有し、それらのうちの単一の態様が、本明細書で説明する望ましい属性を単独で担うものではない。本明細書においては、添付の特許請求の範囲を限定することなしに、いくつかの顕著な特徴について説明する。
【０００６】
本明細書で説明する主題の1つまたは複数の実装形態の詳細は、添付の図面および下記の説明内に記載される。他の特徴、態様、および利点は、説明、図面および特許請求の範囲から明らかになるであろう。以下の図の相対寸法は一定の縮尺で描かれていないことがあることに留意されたい。
【０００７】
開示する一態様は、複数のデバイスと通信するための装置である。装置は、第1のデバイスが40MHz、80MHz、160MHzまたは80+80MHzの第1の帯域幅内でデータを通信し、第2のデバイスが20MHzの第2の帯域幅内でデータを通信すると決定することであって、第2の帯域幅は第1の帯域幅内にある、決定することと、この決定に基づいて第1のデバイスに対する第1のトーンプランおよび第2のデバイスに対する第2のトーンプランを選択することと、第2のトーンプランに従って第2のデバイスと第2のデータを通信するのと少なくとも部分的に同時に、第1のトーンプランに従って第1のデバイスと第1のデータを通信することとを行うように構成された電子ハードウェアプロセッサを含む。
【０００８】
いくつかの態様では、第1および第2のトーンプランは、20MHzの第2の帯域幅内で中央の26トーンリソースユニットを制限する。いくつかの態様では、電子ハードウェアプロセッサは、第1のデバイスが40MHzの第1の帯域幅内で通信し、第2のトーンプランが20MHzの第2の帯域幅の第5および第14の26トーンリソースユニットを制限すると決定するように構成される。いくつかの態様では、電子ハードウェアプロセッサは、第1のデバイスが80MHzの第1の帯域幅内で通信し、第2のトーンプランが20MHzの第2の帯域幅内で第5、第10、第14、第19、第24、第28および第33の26トーンリソースユニットを制限すると決定すること、または第1のデバイスが160MHzもしくは80+80MHzの第1の帯域幅内で通信し、第2のトーンプランが20MHzの第2の帯域幅内で第5、第10、第14、第19、第24、第28および第33の26トーンリソースユニットを制限すると決定することを行うように構成され、20MHzの第2の帯域幅が160MHzもしくは80+80MHzの第1の帯域幅の下部の80MHzかまたは160MHzもしくは80+80MHzの第1の帯域幅の上部の80MHzのいずれかの中にある。
【０００９】
いくつかの態様では、電子ハードウェアプロセッサは、第1のデバイスが80MHzの第1の帯域幅内で通信し、第2のトーンプランが20MHzの第2の帯域幅内で第5および第12の52トーンリソースユニットを制限すること、または第1のデバイスが160MHzもしくは80+80MHzの第1の帯域幅内で通信し、第2のトーンプランが20MHzの第2の帯域幅内で第5および第12の52トーンリソースユニットを制限すると決定するように構成され、20MHzの第2の帯域幅が160MHzもしくは80+80MHzの第1の帯域幅の下部の80MHzかまたは160MHzもしくは80+80MHzの第1の帯域幅の上部の80MHzのいずれかの中にある。
【００１０】
いくつかの態様では、電子ハードウェアプロセッサは、第1のデバイスが80MHzの第1の帯域幅内で通信し、第2のトーンプランが20MHzの第2の帯域幅内で第3および第6の106トーンリソースユニットを制限すると決定すること、または第1のデバイスが160MHzもしくは80+80MHzの第1の帯域幅内で通信し、第2のトーンプランが20MHzの第2の帯域幅内で第3および第6の106トーンリソースユニットを制限すると決定することを行うように構成され、20MHzの第2の帯域幅が160MHzもしくは80+80MHzの第1の帯域幅の下部の80MHz、または160MHzもしくは80+80MHzの第1の帯域幅の上部の80MHzのいずれかの中にある。いくつかの態様では、第1のトーンプランは、データを通信するために第2の帯域幅内でトーンのセットを利用し、第2のトーンプランは、データを通信するために第2の帯域幅内でトーンのセットのサブセットを利用する。いくつかの態様では、電子ハードウェアプロセッサは、第3のデバイスが40MHz、80MHz、160MHzまたは80+80MHzの第1の帯域幅内でデータを通信し、第4のデバイスが20MHzの第2の帯域幅内でデータを通信すると決定することであって、第2の帯域幅は第1の帯域幅内にある、決定することと、この決定に基づいて第3のデバイスに対する第1のトーンプランおよび第4のデバイスに対する第2のトーンプランを選択することと、第2のトーンプランに従って第4のデバイスと第4のデータを通信するのと少なくとも部分的に同時に、第1のトーンプランに従って第3のデバイスと第3のデータを通信することとを行うようにさらに構成される。いくつかの態様では、電子ハードウェアプロセッサは、第1および第2のデータの通信と少なくとも部分的に同時に、第3および第4のデータを通信するようにさらに構成される。いくつかの態様では、電子ハードウェアプロセッサは、第1のデバイスが第1の帯域幅内でデータを送信し、第2のトーンプランが242トーンリソースユニットを制限すると決定するように構成される。いくつかの態様では、電子ハードウェアプロセッサは、第1のデバイスが第1の帯域幅内でデータを受信し、第2のトーンプランが242トーンリソースユニットを制限すると決定するように構成される。いくつかの態様では、電子ハードウェアプロセッサは、第1のデバイスが第1の帯域幅内でデータを受信し、第2のトーンプランが242トーンリソースユニットを制限しないと決定するように構成される。
【００１１】
開示する別の態様は、複数のデバイスとデータを通信する方法である。方法は、電子デバイスによって、第1のデバイスが40MHz、80MHz、160MHzまたは80+80MHzの第1の帯域幅内でデータを通信し、第2のデバイスが20MHzの第2の帯域幅内でデータを通信すると決定するステップであって、第2の帯域幅は第1の帯域幅内にある、決定するステップと、電子デバイスによって、この決定に基づいて第1のデバイスに対する第1のトーンプランおよび第2のデバイスに対する第2のトーンプランを選択するステップと、電子デバイスによって、第2のトーンプランに従って第2のデバイスと第2のデータを通信するのと少なくとも部分的に同時に、第1のトーンプランに従って第1のデバイスと第1のデータを通信するステップとを含む。
【００１２】
開示する別の態様は、データを受信するための装置である。装置は、第1のデバイスからマルチユーザ通信を受信するように構成された受信機を含み、マルチユーザ通信は、第1の帯域幅にわたって第1のトーンプランに従って符号化された第2のデバイスに対する第1のデータと、第1の帯域幅に含まれる20MHzの第2の帯域幅にわたって第2のトーンプランに従って符号化された第3のデバイスに対する第2のデータとを含み、ハードウェアプロセッサは第1または第2のトーンプランに従ってマルチユーザ通信を復号するように構成される。
【００１３】
いくつかの態様では、ハードウェアプロセッサは、第1または第2のトーンプランに従って20MHzの第2の帯域幅内の中央の26トーンリソースユニットを除きながら、マルチユーザ通信を復号するようにさらに構成される。いくつかの態様では、第1のデータは40MHzの帯域幅にわたって符号化され、ハードウェアプロセッサは、第2のトーンプランに従って20MHzの第2の帯域幅の第5および第14の26トーンリソースユニットを除きながら、マルチユーザ通信を復号するようにさらに構成される。いくつかの態様では、第1のデータは80MHzの第1の帯域幅にわたって符号化され、ハードウェアプロセッサは、第2のトーンプランに従って20MHzの帯域幅内の第5、第10、第14、第19、第24、第28および第33の26トーンリソースユニットを除きながらマルチユーザ通信を復号するようにさらに構成され、あるいは第1のデータは160MHzもしくは80+80MHzの第1の帯域幅にわたって符号化され、第2のトーンプランは第2のトーンプランに従って20MHzの第2の帯域幅内の第5、第10、第14、第19、第24、第28および第33の26トーンリソースユニットを制限し、20MHzの第2の帯域幅は160MHzもしくは80+80MHzの第1の帯域幅の下部の80MHz、または160MHzもしくは80+80MHzの第1の帯域幅の上部の80MHzのいずれかの中にある。
【００１４】
いくつかの態様では、第1のデータは80MHzの第1の帯域幅にわたって符号化され、ハードウェアプロセッサは、第2のトーンプランに従って20MHzの第2の帯域幅の第5および第12の52トーンリソースユニットを除きながらマルチユーザ通信を復号するようにさらに構成され、あるいは第1のデータは160MHzもしくは80+80MHzの第1の帯域幅にわたって符号化され、ハードウェアプロセッサは第2のトーンプランに従って20MHzの第2の帯域幅内の第5および第12の52トーンリソースユニットを除きながらマルチユーザ通信を復号するようにさらに構成され、20MHzの第2の帯域幅は160MHzもしくは80+80MHzの第1の帯域幅の下部の80MHz、または160MHzもしくは80+80MHzの第1の帯域幅の上部の80MHzのいずれかの中にある。いくつかの態様では、ハードウェアプロセッサは、第2のトーンプランに従って20MHzの第2の帯域幅内の第3および第6の106トーンリソースユニットを除きながらマルチユーザ通信を復号するようにさらに構成され、あるいは第1のデータは160MHzもしくは80+80MHzの第1の帯域幅にわたって符号化され、ハードウェアプロセッサは第2のトーンプランに従って20MHzの第2の帯域幅内の第3および第6の106トーンリソースユニットを除きながらマルチユーザ通信を復号するようにさらに構成され、20MHzの第2の帯域幅は160MHzもしくは80+80MHzの第1の帯域幅の下部の80MHz、または160MHzもしくは80+80MHzの第1の帯域幅の上部の80MHzのいずれかの中にある。
【００１５】
いくつかの態様では、ハードウェアプロセッサは、第2のトーンプランに従って20MHzの第2の帯域幅内の242トーンリソースユニットを除きながらマルチユーザ通信を復号するようにさらに構成される。いくつかの態様では、ハードウェアプロセッサは、第2のトーンプランに従って20MHzの第2の帯域幅内の242トーンリソースユニットを復号することによって、マルチユーザ通信を復号するようにさらに構成される。
【００１６】
開示する別の態様は、データを送信するための装置である。装置は、マルチユーザ通信の一部分を生成するように構成されたハードウェアプロセッサを含み、マルチユーザ通信は、第1の帯域幅にわたって第1のトーンプランに従って符号化された第1のデータと、第1の帯域幅に含まれる20MHzの第2の帯域幅にわたって第2のトーンプランに従って符号化された第2のデータとを含み、送信機は第1または第2のトーンプランに従ってマルチユーザ通信の一部分を送信するように構成される。いくつかの態様では、ハードウェアプロセッサは、一部分を生成するときに第1または第2のトーンプランのいずれかに従って20MHzの第2の帯域幅内の中央の26トーンリソースユニットを制限するようにさらに構成される。
【００１７】
いくつかの態様では、ハードウェアプロセッサは、第1のデータが40MHzの第1の帯域幅にわたって符号化される場合に一部分を生成するときに第2のトーンプランに従って第2のデータを符号化するときに20MHzの第2の帯域幅の第5および第14の26トーンリソースユニットを制限することと、第1のデータが80MHzの第1の帯域幅にわたって符号化される場合に一部分を生成するときに第2のトーンプランに従って20MHzの第2の帯域幅の第5、第10、第14、第19、第24、第28および第33の26トーンリソースユニットを制限することと、第1のデータが160MHzもしくは80+80MHzの第1の帯域幅にわたって符号化される場合に一部分を生成するときに第2のトーンプランに従って20MHzの第2の帯域幅の第5、第10、第14、第19、第24、第28および第33の26トーンリソースユニットを制限することとを行うようにさらに構成され、20MHzの第2の帯域幅は160MHzもしくは80+80MHzの第1の帯域幅の下部の80MHz、または160MHzもしくは80+80MHzの第1の帯域幅の上部の80MHzのいずれかの中にある。いくつかの態様では、ハードウェアプロセッサは、第1のデータが80MHzの第1の帯域幅にわたって符号化される場合に一部分を生成するときに第2のトーンプランに従って第2のデータを符号化するときに20MHzの第2の帯域幅の第5および第12の52トーンリソースユニットを制限するようにさらに構成され、ハードウェアプロセッサは、第1のデータが160MHzもしくは80+80MHzの第1の帯域幅にわたって符号化される場合に一部分を生成するときに第2のトーンプランに従って第2のデータを符号化するときに20MHzの第2の帯域幅の第5および第12の52トーンリソースユニットを制限するようにさらに構成され、20MHzの第2の帯域幅は160MHzもしくは80+80MHzの第1の帯域幅の下部の80MHz、または160MHzもしくは80+80MHzの第1の帯域幅の上部の80MHzのいずれかの中にある。いくつかの態様では、ハードウェアプロセッサは、第1のデータが80MHzの第1の帯域幅にわたって符号化される場合に一部分を生成するときに第2のトーンプランに従って第2のデータを符号化するときに第3および第6の106トーンリソースユニットを制限するようにさらに構成され、第1のデータが160MHzもしくは80+80MHzの第1の帯域幅にわたって符号化されるときに第2のトーンプランに従って第2のデータを符号化するときに第3および第6の106トーンリソースユニットを制限するようにさらに構成され、20MHzの第2の帯域幅は160MHzもしくは80+80MHzの第1の帯域幅の下部の80MHz、または160MHzもしくは80+80MHzの第1の帯域幅の上部の80MHzのいずれかの中にある。いくつかの態様では、ハードウェアプロセッサは、一部分を生成するときに第2のトーンプランに従って第2のデータを符号化するときに242トーンリソースユニットを制限するようにさらに構成される。
【００１８】
開示する別の態様は、複数のデバイスとデータを通信するための装置である。装置は、第1のデバイスが40MHz、80MHz、160MHzもしくは80MHz+80MHzの帯域幅から選択された第1のチャネル幅内で通信可能であり、第2のデバイスが20MHzの帯域幅の第2のチャネル幅内で通信可能であると決定するための手段であって、第1および第2のチャネル幅の動作スペクトルが重複し、第2のチャネル幅が第1のチャネル幅の中にある、決定するための手段と、この決定に基づいて第1のデバイスによって通信するための第1のトーンプランを選択するための手段であって、第1のトーンプランが第1のチャネル幅内の1つまたは複数のリソースユニット内のトーンを含む、選択するための手段と、この決定に基づいて第2のデバイスによって通信するための第2のトーンプランを選択するための手段であって、第2のトーンプランが第2のチャネル幅内の1つまたは複数のリソースユニット内のトーンを含む、選択するための手段と、第2のトーンプランに従って第2のデバイスと第2のデータを通信するのと少なくとも部分的に同時に、第1のトーンプランに従って第1のデバイスと第1のデータを通信するための手段とを含む。
【００１９】
開示する別の態様は、実行されたとき、ハードウェアプロセッサに、複数のデバイスとデータを通信する方法を実行させる命令を含むコンピュータ可読記憶媒体である。方法は、第1のデバイスが40MHz、80MHz、160MHzもしくは80MHz+80MHzの帯域幅から選択された第1のチャネル幅内で通信可能であり、第2のデバイスが20MHzの帯域幅の第2のチャネル幅内で通信可能であると決定するステップであって、第1および第2のチャネル幅の動作スペクトルが重複し、第2のチャネル幅が第1のチャネル幅の中にある、決定するステップと、この決定に基づいて第1のデバイスによって通信するための第1のトーンプランを選択するステップであって、第1のトーンプランが第1のチャネル幅内の1つまたは複数のリソースユニット内のトーンを含む、選択するステップと、この決定に基づいて第2のデバイスによって通信するための第2のトーンプランを選択するステップであって、第2のトーンプランが第2のチャネル幅内の1つまたは複数のリソースユニット内のトーンを含む、選択するステップと、第2のトーンプランに従って第2のデバイスと第2のデータを通信するのと少なくとも部分的に同時に、第1のトーンプランに従って第1のデバイスと第1のデータを通信するステップとを含む。
【図面の簡単な説明】
【００２０】
【図１】本開示の態様が採用され得るワイヤレス通信システムの一例を示す図である。
【図２】図1のワイヤレス通信システム内で採用され得るワイヤレスデバイスにおいて利用され得る様々な構成要素を示す図である。
【図３】一実施形態による、例示的な2Nトーンプランを示す図である。
【図４】一実施形態による、直交周波数分割多元接続(OFDMA)トーンプランのためのインターリービングパラメータを生成するように動作可能であるシステムを示す図である。
【図５】ワイヤレス通信を送信および受信するために、図4のワイヤレスデバイスなどのワイヤレスデバイスにおいて実装され得る例示的な多入力多出力(MIMO)システムを示す図である。
【図６】動作可能な実施形態において縮小帯域幅デバイスと通常帯域幅デバイスの両方との通信をサポートするためのトーンプランの使用を示す図である。
【図７】動作可能な実施形態において縮小帯域幅デバイスと通常帯域幅デバイスの両方との通信をサポートするためのトーンプランの使用を示す図である。
【図８】動作可能な実施形態において縮小帯域幅デバイスと通常帯域幅デバイスの両方との通信をサポートするためのトーンプランの使用を示す図である。
【図９】動作可能な実施形態において縮小帯域幅デバイスと通常帯域幅デバイスの両方との通信をサポートするためのトーンプランの使用を示す図である。
【図１０】動作可能な実施形態において縮小帯域幅デバイスと通常帯域幅デバイスの両方との通信をサポートするためのトーンプランの使用を示す図である。
【図１１】デバイスの各々の受信周波数範囲に基づいてデバイスに対するデータを符号化する方法に対するフローチャートである。
【図１２】図11の方法によって符号化されたデータを復号する方法に対するフローチャートである。
【図１３】図11の方法によって符号化されたデータを復号する方法に対するフローチャートである。
【図１４】デバイスの各々の受信周波数範囲に基づいてデバイスに対するデータを符号化する方法に対するフローチャートである。
【図１５】図14の方法によって符号化されたデータを復号する方法に対するフローチャートである。
【図１６】802.11axにおける高効率の20MHz、40MHzおよび80MHzのトーンプランに対するヌルサブキャリアインデックスの表である。
【図１７】20MHz高効率物理レイヤデータユニット(PPDU)内のリソースユニット(RU)に対するサブキャリアインデックスの表である。
【図１８】40MHz高効率PPDU内のリソースユニットに対するサブキャリアインデックスの表である。
【図１９】80MHz高効率PPDU内のリソースユニットに対するサブキャリアインデックスの表である。
【図２０】トーンプランを選択する方法を示すフローチャートである。
【図２１】動作帯域幅を選択する方法のフローチャートである。
【図２２】異なる帯域幅にわたって複数のデバイスと同時に通信する方法のフローチャートである。
【図２３】マルチユーザ通信の一部分を受信する方法のフローチャートである。
【発明を実施するための形態】
【００２１】
新規のシステム、装置、および方法の様々な態様が、添付の図面を参照して以下でより十分に説明される。しかしながら、教示の開示は、数多くの異なる形において実施することができ、本開示全体にわたって提示されている任意の特定の構造または機能に限定されるものとして解釈されるべきではない。むしろ、これらの態様は、本開示が周到で完全になり、本開示の範囲を当業者に十分に伝えるように提供される。本明細書の教示に基づいて、本開示の範囲は、本発明の任意の他の態様とは無関係に実装されるか、本発明の任意の他の態様と組み合わされるかにかかわらず、本明細書で開示する新規のシステム、装置、および方法の任意の態様を包含するものであることを、当業者は諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法を包含するものとする。本明細書で開示するいかなる態様も請求項の1つまたは複数の要素によって実施され得ることを理解されたい。
【００２２】
特定の態様について本明細書で説明するが、これらの態様の多くの変形および置換が、本開示の範囲内に入る。好ましい態様のいくつかの利益および利点について言及するが、本開示の範囲は特定の利益、使用、または目的に限定されることが意図されない。むしろ、本開示の態様は、様々なワイヤレス技術、システム構成、ネットワーク、および送信プロトコルに広く適用可能であるであるものとし、そのうちのいくつかが例として図面および好ましい態様の以下の説明で示される。発明を実施するための形態および図面は、限定的でなく、本開示の例示にすぎず、本開示の範囲は、添付の特許請求の範囲およびその同等物によって定義される。
【００２３】
ワイヤレスネットワーク技術は、種々のタイプのワイヤレスローカルエリアネットワーク(WLAN)を含むことができる。ワイヤレスローカルエリアネットワーク(WLAN)は、広く使用されるネットワーキングプロトコルを採用して、近接デバイスを互いに相互接続するために使用され得る。本明細書で説明する種々の態様は、Wi-Fiまたはより一般的には、ワイヤレスプロトコルの米国電気電子技術者協会(IEEE)802.11系列の任意のメンバーなどの任意の通信標準規格に適用することができる。
【００２４】
いくつかの態様では、ワイヤレス信号は、直交周波数分割多重(OFDM)、直接シーケンススペクトル拡散(DSSS)通信、OFDMとDSSS通信との組合せ、または他の方式を使用して、高効率802.11プロトコルに従って送信され得る。高効率802.11プロトコルの実装形態は、インターネットアクセス、センサー、メータリング、スマートグリッドネットワーク、または他のワイヤレス適用例のために使用され得る。有利には、この特定のワイヤレスプロトコルを実施する特定のデバイスの態様は、他のワイヤレスプロトコルを実施するデバイスより消費電力を少なくすることができ、短距離にわたってワイヤレス信号を送信するために使用することができ、および/または人のような物体によって妨害される可能性が低い信号を送信することができる。
【００２５】
いくつかの実装形態では、WLANは、ワイヤレスネットワークにアクセスする構成要素である様々なデバイスを含む。たとえば、2つのタイプのデバイス、すなわちアクセスポイント(「AP」)および(局または「STA106A〜106D」とも呼ばれる)クライアントが存在し得る。概して、APは、WLANのためのハブまたは基地局として働き、局(STA)は、WLANのユーザとして働く。たとえば、STAは、ラップトップコンピュータ、携帯情報端末(PDA)、携帯電話などであってよい。一例では、STAは、インターネットまたは他のワイドエリアネットワークへの一般的な接続性を得るために、Wi-Fi(たとえば、802.11axなどのIEEE802.11プロトコル)準拠のワイヤレスリンクを介してAPに接続する。いくつかの実装形態では、STAはAPとしても使用され得る。
【００２６】
本明細書において説明される技法は、直交多重化方式に基づく通信システムを含む種々のブロードバンドワイヤレス通信システムのために使用することができる。そのような通信システムの例は、空間分割多元接続(SDMA)、時分割多元接続(TDMA)、直交周波数分割多元接続(OFDMA)システム、シングルキャリア周波数分割多元接続(SC-FDMA)システムなどを含む。SDMAシステムは、十分に異なる方向を利用して、複数のユーザ端末に属するデータを同時に送信することができる。TDMAシステムは、送信信号を異なるタイムスロットに分割することによって、複数のユーザ端末が同じ周波数チャネルを共有することを可能にし、各タイムスロットは異なるユーザ端末に割り当てられる。TDMAシステムは、グローバルシステムフォーモバイルコミュニケーション(GSM（登録商標）)または当技術分野で知られている何らかの他の標準規格を実装することができる。OFDMAシステムは、システム帯域幅全体を複数の直交サブキャリアに区分する変調技法である直交周波数分割多重化(OFDM)を利用する。これらのサブキャリアは、トーン、ビンなどと呼ぶこともできる。OFDMでは、各サブキャリアは、データによって独立して変調することができる。OFDMシステムは、IEEE802.11または当技術分野で知られている何らかの他の標準規格を実施することができる。SC-FDMAシステムは、システム帯域幅全体にわたって分散されるサブキャリア上で送信するインターリーブドFDMA(IFDMA)、隣接するサブキャリアのブロック上で送信する局所化FDMA(LFDMA)、または隣接するサブキャリアの複数のブロック上で送信するエンハンストFDMA(EFDMA)を利用することができる。一般に、変調シンボルは、OFDMでは周波数領域において、SC-FDMAでは時間領域において送られる。SC-FDMAシステムは、3GPP-LTE(第3世代パートナーシッププロジェクトLong Term Evolution)または他の標準規格を実施することができる。
【００２７】
本明細書の教示は、様々なワイヤード装置またはワイヤレス装置(たとえば、ノード)に組み込まれ得る(たとえば、その装置内で実装されるか、またはその装置によって実行され得る)。いくつかの態様では、本明細書の教示に従って実装されるワイヤレスノードは、アクセスポイントまたはアクセス端末を備えることができる。
【００２８】
アクセスポイント(「AP」)は、ノードB、無線ネットワークコントローラ(「RNC」)、eノードB、基地局コントローラ(「BSC」)、基地トランシーバ局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、または何らかの他の用語を備えるか、それらのいずれかとして実装されるか、あるいはそれらのいずれかとして知られていることがある。
【００２９】
また、局(「STA」)は、ユーザ端末、アクセス端末(「AT」)、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル(「SIP」)電話、ワイヤレスローカルループ(「WLL」)局、携帯情報端末(「PDA」)、ワイヤレス接続能力を有するハンドヘルドデバイス、またはワイヤレスモデムに接続された何らかの他の好適な処理デバイスを備えることができる。したがって、本明細書で教示する1つまたは複数の態様は、電話(たとえば、セルラーフォンまたはスマートフォン)、コンピュータ(たとえば、ラップトップ)、ポータブル通信デバイス、ヘッドセット、ポータブルコンピューティングデバイス(たとえば、個人情報端末)、エンターテインメントデバイス(たとえば、音楽またはビデオデバイス、あるいは衛星ラジオ)、ゲームデバイスまたはシステム、全地球測位システムデバイス、あるいはワイヤレス媒体を介して通信するように構成される任意の他の好適なデバイスに組み込まれ得る。
【００３０】
先に論じられたように、本明細書において説明されるデバイスのいくつかは、たとえば、802.11ax標準規格を実施することができる。そのようなデバイスは、STAとして使用されるか、APとして使用されるか、他のデバイスとして使用されるかにかかわらず、スマートメータリングのためにまたはスマートグリッドネットワークにおいて使用され得る。そのようなデバイスは、センサーアプリケーションを提供することができるか、またはホームオートメーションにおいて使用することができる。デバイスは、代わりに、または加えて、健康管理の場面において、たとえば個人の健康管理のために使用することができる。それらのデバイスは、監視用として、または拡張範囲でのインターネット接続性(たとえば、ホットスポットとともに使用する)を可能にするために、またはマシンツーマシン通信を実施するために使用することもできる。
【００３１】
いくつかの802.11axデバイスは、低電力条件の下で動作するように構成され得、比較的低い複雑度の構成要素を用いて製造され得る。たとえば、いくつかの態様では、これらのあまり精巧でない、おそらくは低コストのデバイスは、コストを低減し、またいくつかの態様では電力消散を低減するために、比較的少量の電力を消費するように構成され得、かつあまり精巧でないワイヤレスネットワーキング受信機および/または送信機を用いて製造され得る。それゆえ、いくつかの態様では、これらのデバイスは、ワイヤレスネットワークを介してデータを送信および/または受信するときに、縮小された周波数スペクトルを利用し得る。本開示全体にわたって、これらのデバイスは、縮小帯域幅デバイスと呼ばれることがある。たとえば、本開示全体にわたって通常帯域幅デバイスと呼ばれるいくつかの802.11axデバイスは、20MHz、40MHz、80MHzおよび/または160MHzの周波数帯域を利用して情報を送信および/または受信することができるが、いくつかの態様では、縮小帯域幅デバイスは、たとえば最大で20MHzの帯域幅を使用して送信および受信することができる。
【００３２】
これらのデバイスは、トーンプランまたはトーンマップに従って互いに通信し得る。いくつかの態様では、送信のデータおよび/またはパイロットトーンは、任意の数の異なるユーザの間で分割され得る。たとえば、いくつかの態様では、データおよび/またはパイロットトーンは、1人から8人のユーザの間で分割され得る。データおよび/またはパイロットトーンを分割するために、アクセスポイントまたは別のデバイスは、様々なデバイスにシグナリングして、どのデバイスが特定の送信においてどのトーン上で送信または受信し得るのかを示し得る。たとえば、シグナリングは、通信中に各デバイスによってリソースユニットがいつ利用されるかを示し得る。いくつかの態様では、シグナリングは、デバイス間の通信のためにデータを符号化し得る1つまたは複数のリソースユニットにわたるトーンの第1のセットを示し得る。いくつかの態様では、シグナリングは、使用されない、または言い換えれば制限され得る1つまたは複数のリソースユニットにわたるトーンの第2のセットを示し得、それによりリソースユニットは、デバイス間の通信のためにデータを符号化することはない。2つ以上のデバイスの間の通信に対するこれらの表示は、本開示全体にわたってトーンプランと総称されることがある。
【００３３】
いくつかの態様では、これらの縮小帯域幅デバイスは、20MHzなどの帯域幅制限を超えないリソースユニットを利用することによってOFDMA通信に参加し得る。たとえば、これらの縮小帯域幅デバイスは、一定数のトーン、たとえばいくつかの態様では、242トーンリソースユニットに制限され得る。いくつかの態様では、これらの縮小帯域幅デバイスは、デバイスに対するリソースユニット割当てを示す情報を取得するために、最初の20MHzの帯域内のフレームプリアンブルを処理し得る。これらの縮小帯域幅デバイスはまた、高効率ロングトレーニングフィールドならびにデータシンボルを処理するときに、そのリソースユニット割当ての対応する物理的20MHz(それは最初の20MHzチャネルと異なる場合がある)を処理し得る。
【００３４】
いくつかの態様では、縮小帯域幅デバイス内のあまり複雑でない設計の受信構成要素は、受信機内のフィルタ処理が物理的20MHzの帯域内のサブバンドDCトーンおよびいくつかのエッジトーンをヌルアウトすることを生じる場合がある。縮小帯域幅デバイスによって正確にまたは確実に受信され得ないトーンは、本開示全体にわたって、被影響トーンと呼ばれることがある。たとえば、受信フィルタ処理は、802.11ax高効率20MHzに対する受信フィルタを利用し得、それにより、帯域の中央の3つのDCトーン、帯域の左の6つのトーン、および高効率20MHzトーンプラン内の5つのガードトーンがヌルアウトされる場合があり、したがってこれらのトーンは影響を受ける。代替的に、受信構成要素フィルタ処理は、より広い異なるフィルタを利用し得る。このより広いフィルタはより多くのエッジトーンをカバーし得、それにより、帯域の中央の3つのトーンおよび20MHz高効率トーンプランのエッジにおけるより少ないガードトーンがヌルアウトされ、より少ない被影響トーンがもたらされる。
【００３５】
いくつかの態様では、これらの縮小帯域幅デバイスは、それらの受信構成要素によってサポートされる受信帯域幅より大きい帯域幅を有するPPDUを利用して通信を実行し得る。これらの縮小帯域幅デバイスは、ネットワーク上で送信されたPPDU帯域幅より小さい範囲内でデータを受信し得る受信回路を含み得るので、いくつかの態様では、特定のトーンプランが、より大きい帯域幅にわたってデータを受信し得る他の通常帯域幅デバイスの通信と同時に、これらの縮小帯域幅デバイスと通信することを容易にするために設けられ得る。
【００３６】
いくつかの態様では、送信周波数スペクトルは、データを受信するために制限された周波数範囲を有する縮小帯域幅デバイスがスペクトルの第1の部分を割り振られる一方で、あまり制限されない周波数範囲を有する通常帯域幅デバイスが周波数スペクトルの第2の異なる部分を割り振られるように区分され得、ここで第2の部分は第1の部分より大きい帯域幅を有するが、第1の部分と第2の部分とは重複しない。
【００３７】
いくつかの態様では、縮小帯域幅デバイスがデータを受信し得る第1の周波数スペクトルはまた、通常帯域幅デバイスによっても利用される。これらの態様では、第1の周波数スペクトル内のいくつかのリソースユニットは、縮小帯域幅デバイスに対するデータを符号化するために利用されない。たとえば、これらのリソースユニットは、縮小帯域幅デバイスによって正確にまたは確実に受信され得ないトーンを含み得る。これらのリソースユニットは、依然として、よりロバストな能力を有するデバイスに対するデータを符号化し得る。いくつかの態様では、縮小帯域幅デバイスに対するデータを符号化するために利用されないリソースユニットは所定のサイズより小さいが、所定のサイズを超えるリソースユニットは両方のタイプのデバイスに対するデータを符号化する。
【００３８】
いくつかの態様では、いくつかのリソースユニット内の被影響トーンは、データが縮小帯域幅デバイスに対して符号化されるときにパンクチャリングされ得る。たとえば、縮小帯域幅デバイスは、特定のリソースユニット内で特定のトーン(被影響トーン)を使用して符号化されたデータを受信することはできない。これらのトーンは、データがあまり精巧でないデバイスに送信されるときにパンクチャリングされる場合があるが、データが符号化されてよりロバストな能力を有するデバイスに送信されるときはパンクチャリングされないままである場合がある。
【００３９】
いくつかの態様では、リソースユニットトーンプランは、リソースユニットが、データが縮小帯域幅デバイスに送信されるときに影響を受ける、通常帯域幅デバイスに対するデータを符号化するために使用されるように適用され得、トーンプランは、被影響データの符号化をヌルトーン、ガードトーンまたは他のリソースユニットに移動するように適用される。
【００４０】
いくつかの態様では、いくつかの被符号化データ(直交振幅変調シンボルなど)は、縮小帯域幅デバイスに送信されるときはデュアルトーンを使用して送信され得るが、よりロバストな能力を有する通常帯域幅デバイスに送信されるときは1つのトーンだけを使用して送信され得る。たとえば、上記で説明したように、被影響トーンを使用して送信されたデータは、デュアルトーンを使用して送信され得る。いくつかの態様では、追加のトーンは、ヌルトーン、ガードトーン、または他の未使用のトーンを含み得る。いくつかの態様では、たとえば、リソースユニットは、被影響トーン内で同様に符号化されたデータを符号化するために予約され得る。したがって、リソースユニットは、通常帯域幅デバイスに送信されるときにいずれのデータも符号化しない。
【００４１】
図1は、本開示の態様が採用され得るワイヤレス通信システム100の一例を示す。ワイヤレス通信システム100は、ワイヤレス標準規格、たとえば、802.11ax、802.11ah、802.11ac、802.11n、802.11gおよび802.11bの標準規格のうちの少なくとも1つに従って動作することができる。ワイヤレス通信システム100は、STA106A〜106Dと通信するAP104を含み得る。
【００４２】
AP104とSTA106A〜106Dとの間のワイヤレス通信システム100における送信のために、種々のプロセスおよび方法を使用することができる。たとえば、OFDM/OFDMA技法に従って、AP104とSTA106A〜106Dとの間で信号が送信および受信され得る。そうである場合、ワイヤレス通信システム100は、OFDM/OFDMAシステムと呼ばれることがある。代替的に、符号分割多元接続(CDMA)技法に従って、AP104とSTA106A〜106Dとの間で信号が送信および受信され得る。そうである場合、ワイヤレス通信システム100は、CDMAシステムと呼ばれることがある。
【００４３】
AP104からSTA106A〜106Dのうちの1つまたは複数への送信を容易にする通信リンクは、ダウンリンク(DL)108と呼ぶことができ、STA106A〜106Dのうちの1つまたは複数からAP104への送信を容易にする通信リンクは、アップリンク(UL)110と呼ぶことができる。代替的に、ダウンリンク108は、順方向リンクまたは順方向チャネルと呼ばれることがあり、アップリンク110は、逆方向リンクまたは逆方向チャネルと呼ばれることがある。
【００４４】
AP104は、基本サービスエリア(BSA)102においてワイヤレス通信カバレージを与えることができる。AP104は、AP104に関連付けられ、通信のためにAP104を使用するSTA106A〜106Dとともに、基本サービスセット(BBS)と呼ぶことができる。ワイヤレス通信システム100は、中央のAP104を持たないが、STA106A〜106Dの間でピアツーピアネットワークとして機能し得ることに留意されたい。したがって、本明細書において説明されるAP104の機能は、代替的には、STA106A〜106Dのうちの1つまたは複数によって実行することができる。
【００４５】
開示する方法およびシステムでは、STA106A〜Dの第1の部分は、80MHzまたは160MHzなど、通常の周波数範囲にわたって送信および受信することができる。STA106A〜Dの別の第2の部分は、たとえば20MHzのより狭い周波数範囲にわたって送信だけを行うことができる。これらのデバイスは、本開示全体にわたって、縮小帯域幅デバイスと呼ばれることがある。通信に対するこの縮小された周波数範囲の結果として、STAの第1の部分によって容易に受信され得るいくつかのトーンが、STAの第2の部分によって確実には受信されない。したがって、開示する方法およびシステムのいくつかの態様は、STAの第1の部分との通信のための第1のトーンプランとSTAの第2の部分との通信のための第2のトーンプランとの使用を提供する。いくつかの態様では、第2のトーンプランは、第1のトーンプランから導出され得る。たとえば、第2のトーンプランは、一般に第1のトーンプランに従ってデータを符号化し得るが、被影響トーンまたは被影響リソースユニットを使用して符号化されるデータを、異なる方法で被影響トーンを利用して符号化し得る。
【００４６】
図2は、ワイヤレス通信システム100内で採用され得るワイヤレスデバイス202において利用され得る様々な構成要素を示す。ワイヤレスデバイス202は、本明細書で説明する様々な方法を実施するように構成され得るデバイスの一例である。たとえば、ワイヤレスデバイス202は、AP104、またはSTA106A〜106Dのうちの1つを含み得る。
【００４７】
ワイヤレスデバイス202は、ワイヤレスデバイス202の動作を制御するプロセッサ204を含み得る。プロセッサ204は、中央処理ユニット(CPU)と呼ばれることもある。読取り専用メモリ(ROM)とランダムアクセスメモリ(RAM)の両方を含み得るメモリ206は、プロセッサ204に命令とデータとを与える。メモリ206の一部は、不揮発性ランダムアクセスメモリ(NVRAM)をも含み得る。プロセッサ204は、一般的にメモリ206内に記憶されたプログラムの命令に基づいて、論理演算および算術演算を行う。メモリ206中の命令は、本明細書で説明される方法を実施するように実行可能であり得る。
【００４８】
プロセッサ204は、1つまたは複数のプロセッサを用いて実装された処理システムを備えることができ、またはその構成要素であり得る。1つまたは複数のプロセッサは、汎用マイクロプロセッサ、マイクロコントローラ、デジタル信号プロセッサ(DSP)、フィールドプログラマブルゲートアレイ(FPGA)、プログラマブル論理デバイス(PLD)、コントローラ、状態機械、ゲート論理、個別ハードウェア構成要素、専用ハードウェア有限状態機械、または情報の計算もしくは他の操作を実行することができる任意の他の好適なエンティティの任意の組合せを用いて実装され得る。
【００４９】
処理システムはまた、ソフトウェアを記憶するための機械可読媒体を含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、(たとえば、ソースコード形式、バイナリコード形式、実行可能コード形式、または任意の他の好適なコード形式の)コードを含み得る。命令は、1つまたは複数のプロセッサによって実行されたとき、本明細書で説明する様々な機能を処理システムに実行させる。
【００５０】
ワイヤレスデバイス202はまた、ワイヤレスデバイス202と遠隔ロケーションとの間のデータの送信と受信とを可能にするために、送信機210と受信機212とを含み得るハウジング208を含み得る。送信機210と受信機212とは、組み合わされてトランシーバ214になり得る。アンテナ216は、ハウジング208に取り付けられ得、トランシーバ214に電気的に結合され得る。ワイヤレスデバイス202はまた、たとえば、MIMO通信中に利用され得る、複数の送信機、複数の受信機、複数のトランシーバ、および/または複数のアンテナを含むことができる(図示せず)。
【００５１】
ワイヤレスデバイス202は、トランシーバ214によって受信された信号のレベルを検出および定量化するために使用され得る信号検出器218をも含み得る。信号検出器218は、そのような信号を、総エネルギー、シンボルごとのサブキャリア当たりのエネルギー、電力スペクトル密度、および他の信号として検出することができる。ワイヤレスデバイス202は、信号を処理する際に使用するためのデジタル信号プロセッサ(DSP)220をも含み得る。DSP220は、送信用のデータユニットを生成するように構成され得る。いくつかの態様では、データユニットは、PPDUを備え得る。いくつかの態様では、PPDUはパケットと呼ばれる。
【００５２】
ワイヤレスデバイス202は、いくつかの態様では、ユーザインターフェース222をさらに備え得る。ユーザインターフェース222は、キーパッド、マイクロフォン、スピーカー、および/またはディスプレイを備え得る。ユーザインターフェース222は、ワイヤレスデバイス202のユーザに情報を伝達し、および/またはユーザからの入力を受信する任意の要素または構成要素を含むことができる。
【００５３】
ワイヤレスデバイス202の様々な構成要素は、バスシステム226によって互いに結合することができる。バスシステム226は、たとえば、データバス、ならびに、データバスに加えて、電力バスと、制御信号バスと、ステータス信号バスとを含み得る。ワイヤレスデバイス202の構成要素は、何らかの他の機構を使用して、一緒に結合され得るか、または互いに対する入力を受け入れ、もしくは与え得ることを当業者は諒解されよう。
【００５４】
いくつかの別個のコンポーネントが図2に示されているが、コンポーネントの1つまたは複数は、組み合わされてよく、または共通に実装されてよいことを当業者は理解するであろう。たとえば、プロセッサ204は、プロセッサ204に関して上述した機能を実装するだけでなく、信号検出器218および/またはDSP220に関して上述した機能を実装するのにも使用され得る。さらに、図2に示されるコンポーネントの各々は、複数の別個の要素を使用して実装され得る。
【００５５】
上記で説明したように、ワイヤレスデバイス202は、AP104またはSTA106を備えることができ、通信を送信および/または受信するために使用され得る。ワイヤレスネットワークにおけるデバイス間で交換される通信は、パケットまたはフレームを備え得るデータユニットを含み得る。いくつかの態様では、データユニットは、データフレーム、制御フレーム、および/または管理フレームを含み得る。データフレームは、APおよび/またはSTAから他のAPおよび/またはSTA106A〜106Dにデータを送信するために使用され得る。制御フレームは、様々な動作を実行するためのおよびデータを確実に配信するためのデータフレーム(たとえば、データの受信を肯定応答すること、APのポーリング、エリアクリアリング動作、チャネル取得、キャリア検知保守機能など)とともに使用され得る。管理フレームは、(たとえば、ワイヤレスネットワークに加わり、そのネットワークから離れるなどのための)様々な監視機能のために使用され得る。
【００５６】
本開示のいくつかの態様は、AP104が、効率を改善するために最適化された方法でSTA106A〜106Dの送信を割り振るのを可能にすることをサポートする。高効率ワイヤレス(HEW)局、802.11高効率プロトコル(802.11axなど)を利用する局、および旧式もしくはレガシー802.11プロトコル(802.11bなど)を用いる局がいずれも、ワイヤレス媒体へのアクセスに関して競合または協調する可能性がある。いくつかの実施形態では、本明細書で説明する高効率802.11プロトコルは、HEW局およびレガシー局が、(トーンマップと呼ばれることもある)様々なOFDMトーンプランに従って相互動作することを可能にすることができる。いくつかの実施形態では、HEW局は、より効率的にワイヤレス媒体にアクセスすることができる。したがって、集合住宅または人口密度の高い公共空間の場合、高効率802.11プロトコルを使用するAPおよび/またはSTA106A〜106Dは、アクティブなワイヤレスデバイスの数が増加するときでも、低減されたレイテンシと向上されたネットワークスループットとを経験することができ、それによってユーザエクスペリエンスを改善することができる。
【００５７】
いくつかの実施形態では、AP104は、HEW STA106A〜106Dのための様々なDLトーンプランに従ってワイヤレス媒体上で送信することができる。たとえば、図1に関して、STA106A〜106DA〜106Dは、HEW STA106A〜106Dであり得る。いくつかの実施形態では、HEW STA106A〜106Dは、レガシーSTAのシンボル持続時間の4倍のシンボル持続時間を使用して通信することができる。たとえば、様々な実施形態では、1xシンボル持続時間は4msであり得、4xシンボル持続時間は16msであり得る。AP104は、通信帯域幅に基づいて、1つまたは複数のトーンプランに従ってHEW STA106A〜106DA〜106Dへメッセージを送信することができる。
【００５８】
図3は、一実施形態による、例示的な2N-トーンプラン300を示す。一実施形態では、トーンプラン300は、2N点高速フーリエ変換(FFT)を使用して生成された、周波数領域におけるOFDMトーンに対応する。トーンプラン300は、-N〜N-1でインデックス付けされた2N個のOFDMトーンを含む。トーンプラン300は、2組のガードトーン310と、2組のデータ/パイロットトーン320と、1組の直流(DC)トーン330とを含む。様々な実施形態では、ガードトーン310およびDCトーン330は、ヌルであり得る。様々な実施形態では、トーンプラン300は、別の好適な数のパイロットトーンを含み、および/または他の好適なトーンロケーションにあるパイロットトーンを含む。
【００５９】
2N-トーンプラン300が図3に示されるが、類似のトーンプラン(32-、48-、64-、96-、128-、192-、256-、320-、384-、448-、512-、768-、1024、1280-、1536-、1792-および2048-トーンプランなど)を使用することもできる。様々な実施形態では、各トーンプランは、たとえば、20MHz、40MHz、80MHzおよび160MHzのような、通信帯域幅に対応することができる。様々な実施形態では、512-、1024-および2048-トーンプランは、それぞれ、周波数領域において2回、4回および8回繰り返される256-トーンプランを含むことができる。一実施形態では、256-トーンプランは、IEEE802.11標準規格において規定される超高スループット(VHT:very high throughput)80MHzトーンプランを含むことができる。
【００６０】
図4は、一実施形態による、直交周波数分割多元接続(OFDMA)トーンプランのためのインターリービングパラメータを生成するように動作可能であるシステム600を示す。システム600は、ワイヤレスネットワーク650を介して複数の他のデバイス(たとえば、宛先デバイス)620、630、および640とワイヤレス通信するように構成された、第1のデバイス(たとえば、ソースデバイス)610を含む。代替実施形態では、異なる数のソースデバイス宛先デバイスが、システム600中に存在し得る。様々な実施形態では、ソースデバイス610は、AP104(図1)を含み得、他のデバイス620、630、および640は、STA106A〜106D(図1)を含み得る。システム600は、システム100(図1)を含み得る。様々な実施形態では、デバイス610、620、630、および640のいずれも、ワイヤレスデバイス202(図2)を含み得る。
【００６１】
特定の実施形態では、ワイヤレスネットワーク650は、IEEE802.11ワイヤレスネットワーク(たとえば、Wi-Fiネットワーク)である。たとえば、ワイヤレスネットワーク650は、IEEE802.11標準規格に従って動作することができる。特定の実施形態では、ワイヤレスネットワーク650は、多元接続通信をサポートする。たとえば、ワイヤレスネットワーク650は、宛先デバイス620、630、および640の各々への単一のパケット660の通信をサポートすることができ、ここで、単一のパケット660は、宛先デバイスの各々に向けられた個々のデータ部分を含む。一例では、パケット660は、本明細書でさらに説明するように、OFDMAパケットであり得る。
【００６２】
ソースデバイス610は、多元接続パケットを生成し、複数の宛先デバイスに送信するように構成された、アクセスポイント(AP)または他のデバイスであり得る。特定の実施形態では、ソースデバイス610は、プロセッサ611(たとえば、中央処理ユニット(CPU)、デジタル信号プロセッサ(DSP)、ネットワーク処理ユニット(NPU)など)と、メモリ612(たとえば、ランダムアクセスメモリ(RAM)、読取り専用メモリ(ROM)など)と、ワイヤレスネットワーク650を介してデータを送り、受信するように構成されたワイヤレスインターフェース615とを含む。メモリ612は、図4のインターリービングシステム614に関して説明する技法に従ってデータをインターリーブするために、インターリービングシステム614によって使用されるバイナリ畳み込みコード(BCC)インターリービングパラメータ613を記憶することができる。
【００６３】
本明細書で使用する「トーン」は、データがその内側で通信され得る周波数または周波数のセット(たとえば、周波数範囲)を表すことができる。トーンは、代替的にサブキャリアと呼ばれることがある。したがって、「トーン」は周波数領域ユニットであり得、パケットは複数のトーンにわたることができる。トーンとは対照的に、「シンボル」は時間領域ユニットであり得、パケットは複数のシンボルにわたる(たとえば、複数のシンボルを含む)ことができ、各シンボルは特定の持続時間を有する。したがって、ワイヤレスパケットは、周波数範囲(たとえば、トーン)と時間期間(たとえば、シンボル)とにわたる2次元構造として視覚化され得る。
【００６４】
一例として、ワイヤレスデバイスは、80メガヘルツ(MHz)ワイヤレスチャネル(たとえば、80MHzの帯域幅を有するチャネル)を介してパケットを受信することができる。ワイヤレスデバイスは、パケット中の512個のトーンを決定するために、512点FFTを実行することができる。トーンのサブセットが「使用可能」と考えられ得、残りのトーンは「使用不可能」と考えられ得る(たとえば、ガードトーン、直流(DC)トーンなどであり得る)。例示のために、474個のデータトーンと24個のパイロットトーンとを含む、512個のトーンのうちの498個が使用可能であり得る。別の例として、476個のデータトーンと22個のパイロットトーンがあり得る。上記のチャネル帯域幅、変換、およびトーンプランが例示的なものであることに留意されたい。代替実施形態では、様々なチャネル帯域幅(たとえば、5MHz、6MHz、6.5MHz、40MHz、80MHzなど)、様々な変換(たとえば、256点FFT、1024点FFTなど)、および/または様々なトーンプランが使用され得る。
【００６５】
特定の実施形態では、パケットは、1つまたは複数の空間ストリームにわたって送信される異なるブロックサイズ(たとえば、サブバンド当たりに異なる数のデータトーン)を含み得る。たとえば、パケットは、サブバンド当たりに12のデータトーン、サブバンド当たりに36のデータトーン、サブバンド当たりに72のデータトーン、サブバンド当たりに120のデータトーン、サブバンド当たりに156のデータトーンまたはサブバンド当たりに312のデータトーンを含み得る。インターリーブ深度、インターリーブ回転インデックス、およびベースサブキャリア回転の組合せは、図8A〜図8B内のチャートに従って各ブロックサイズを与えられ得る。
【００６６】
特定の実施形態では、インターリービングパラメータ613は、パケット660のどのデータトーンが個々の宛先デバイスに割り当てられるかを決定するために、多元接続パケット660の生成中にインターリービングシステム614によって使用され得る。たとえば、パケット660は、各個々の宛先デバイス620、630、および640に割り振られたトーンの異なるセットを含み得る。例示のために、パケット660は、インターリーブされたトーン割振りを利用することができる。
【００６７】
宛先デバイス620、630、および640はそれぞれ、プロセッサ(たとえば、プロセッサ621)と、メモリ(たとえば、メモリ622)と、ワイヤレスインターフェース(たとえば、ワイヤレスインターフェース625)とを含み得る。宛先デバイス620、630、および640はそれぞれ、図5のMIMO検出器718に関して説明するように、パケット(たとえば、単一接続パケットまたは多元接続パケット)をデインターリーブするように構成されたデインターリービングシステム624をも含み得る。一例では、メモリ622は、インターリービングパラメータ613と同等のインターリービングパラメータ623を記憶することができる。
【００６８】
動作中、ソースデバイス610は、パケット660を生成し、ワイヤレスネットワーク650を介して宛先デバイス620、630、および640の各々にパケット660を送信することができる。パケット660は、インターリーブされたパターンに従って各個々の宛先デバイスに割り振られるデータトーンの異なるセットを含み得る。
【００６９】
したがって、図4のシステム600は、IEEE802.11ワイヤレスネットワークを介して通信するために、ソースデバイスおよび宛先デバイスが使用するためのOFDMAデータトーンインターリービングパラメータを与えることができる。たとえば、インターリービングパラメータ613、623(またはそれらの部分)は、図示のようにソースデバイスおよび宛先デバイスのメモリ内に記憶され得、ワイヤレス標準規格(たとえば、IEEE802.11標準規格)などによって規格化され得る。本明細書で説明する様々なデータトーンプランは、ダウンリンク(DL)のOFDMA通信とアップリンク(UL)のOFDMA通信の両方に適用可能であり得ることに留意されたい。
【００７０】
たとえば、ソースデバイス610(たとえば、アクセスポイント)は、ワイヤレスネットワーク650を介して信号を受信することができる。信号は、アップリンクパケットに対応し得る。パケット中で、トーンの異なるセットが、宛先デバイス(たとえば、移動局)620、630、および640の各々に割り振られ、その宛先デバイスによって送信されたアップリンクデータを搬送することができる。
【００７１】
図5は、ワイヤレス通信を送信および受信するために、図4のワイヤレスデバイスなど、ワイヤレスデバイスにおいて実装され得る例示的な多入力多出力(MIMO)システム700を示す。システム700は、図4の第1のデバイス610と図4の宛先デバイス620とを含む。
【００７２】
第1のデバイス610は、エンコーダ704と、インターリービングシステム614と、複数の変調器702a〜702cと、複数の送信(TX)回路710a〜710cと、複数のアンテナ712a〜712cとを含む。宛先デバイス620は、複数のアンテナ714a〜714cと、複数の受信(RX)回路716a〜716cと、MIMO検出器718と、デコーダ720とを含む。
【００７３】
ビットシーケンスが、エンコーダ704に与えられ得る。エンコーダ704は、ビットシーケンスを符号化するように構成され得る。たとえば、エンコーダ704は、ビットシーケンスに前方誤り訂正(FEC)コードを適用するように構成され得る。FECコードは、ブロックコード、畳み込みコード(たとえば、バイナリ畳み込みコード)などであり得る。符号化されたビットシーケンスが、インターリービングシステム614に与えられ得る。
【００７４】
インターリービングシステム614は、ストリームパーサ706と、複数の空間ストリームインターリーバ708a〜708cとを含み得る。ストリームパーサ706は、エンコーダ704から複数の空間ストリームインターリーバ708a〜708cへの符号化ビットストリームをパースするように構成され得る。
【００７５】
各インターリーバ708a〜708cは、周波数インターリービングを実行するように構成され得る。たとえば、ストリームパーサ706は、各空間ストリームについてシンボルごとにコード化ビットのブロックを出力することができる。各ブロックは、行に書き込み、列を読み出す、対応するインターリーバ708a〜708cによってインターリーブされ得る。列数(NCOL)またはインターリーバ深度は、図8A〜図8Bの表に関して説明したように、データトーン数(Ndata)に基づき得る。行数(NROW)は、NCOLおよびNdataの関数であり得る。たとえば、行数(NROW)は、NCOLで除算されたNdataに等しくなり得る(たとえば、NROW=Ndata/NCOL)。
【００７６】
図6は、動作可能な実施形態において縮小帯域幅デバイスと通常帯域幅デバイスの両方との通信をサポートするための様々なトーンプランの使用を示す。図6に示すように、いくつかの態様では、アクセスポイントなどのデバイスは、40MHzの周波数帯域幅を利用してデバイスのセットと通信する。デバイスのセットには、縮小帯域幅デバイスと通常帯域幅デバイスとが含まれ得る。図示の実施形態では、アクセスポイントなどのデバイスは、縮小帯域幅デバイスと通信するために40MHzの帯域幅の第1の部分805を利用し得る。この第1の部分805は、縮小帯域幅デバイスと通信するときに、第1の20MHzの部分805内の802.11axのHE-20トーンプランを利用し得る。通常帯域幅デバイスと通信するために、デバイスは、802.11axのHE-40トーンプランを利用し得る。デバイスは第2の部分810の中だけで通常帯域幅デバイスと通信しているので、デバイスは、周波数スペクトルの部分810に対して適切なHE-40トーンプランの部分を利用し得る。HE-40トーンプランの他方の半分は、この実施形態では利用されない。いくつかの態様では、図6は部分805より低い(または高い)周波数スペクトルを表し得るという点で、部分805および810は、図6に示すものから反転されてもよいことに留意されたい。
【００７７】
図7は、動作可能な実施形態において縮小帯域幅デバイスと通常帯域幅デバイスの両方との通信をサポートするためのトーンプランの使用を示す。図7は、縮小帯域幅デバイスと通常帯域幅デバイスの両方と通信するための40MHzの周波数帯域幅の使用を示す。図7の実施形態では、アクセスポイントなどのデバイスは、40MHzの周波数帯域幅の第1の部分905を使用して縮小帯域幅デバイスと通信し、40MHzの周波数帯域幅の第2の部分910を使用して通常帯域幅デバイスと通信する。図7の実施形態では、802.11axのHE-20トーンプランは、部分905内で縮小帯域幅デバイスと通信するために利用される一方で、同じ802.11axのHE-20トーンプランは、部分910内で通常帯域幅デバイスと通信するために利用される。いくつかの態様では、部分905および910の相対位置は、図示の位置から反転されてもよい。
【００７８】
図8は、動作可能な実施形態において縮小帯域幅デバイスと通常帯域幅デバイスの両方との通信をサポートするためのトーンプランの使用を示す。図8は、縮小帯域幅デバイスと通常帯域幅デバイスの両方と通信するための共有の80MHzの周波数帯域幅の使用を示す。図8の実施形態では、アクセスポイントなどのデバイスは、共有の80MHzの周波数帯域幅のうちの4つの20MHzの帯域幅1005a〜1005dの各々の中で802.11axのHE-20トーンプランを利用し得る。4つの20MHzの帯域幅1005a〜1005dのうちの1つは縮小帯域幅デバイスと通信するために使用され得る一方で、残りの3つの部分は、通常帯域幅デバイスと通信するために使用され得る。いくつかの態様では、部分1005a〜1005dの相対位置は、図示の位置と異なってもよい。様々な実施形態では、80MHzの帯域幅内の部分1005a〜1005dの任意の配置が企図される。
【００７９】
図9は、動作可能な実施形態において縮小帯域幅デバイスと通常帯域幅デバイスの両方との通信をサポートするためのトーンプランの使用を示す。図9は、縮小帯域幅デバイスと通常帯域幅デバイスの両方と通信するための共有の80MHzの周波数帯域幅の使用を示す。図9の実施形態では、アクセスポイントなどのデバイスは、部分1105a内で縮小帯域幅デバイスと通信するために、802.11axのHE-20トーンプランの変更された形態を利用し得る。いくつかの態様では、HE-20トーンプランのこの変更された形態は、縮小帯域幅デバイスに関する被影響トーンを含むHE-20トーンプラン内のリソースユニットの使用を回避し得る。いくつかの実施形態では、HE-20トーンプランのこの変更された形態は、HE-20トーンプラン内で縮小帯域幅デバイスに対する被影響トーンをパンクチャリングする場合がある。いくつかの実施形態では、変更されたトーンプランは、そうでなければ被影響トーンを利用することになるデータのコーディングを、エッジトーンまたはヌルトーンなどの他のトーンに移動させ得る。デバイスは、80MHzのスペクトルのうちの第2の20MHz部分1105b内で通常帯域幅デバイスと通信するために802.11axのHE-20トーンプランを利用し得る。デバイスは、通常帯域幅デバイスとも通信するために、80MHzの帯域幅のうちの第3の40MHz部分1105c内で802.11axのHE-80トーンプランを利用し得る。いくつかの実施形態では、部分1105cは、80MHzのスペクトルのうちの第1の40MHz(第1および第2の物理的20MHz部分)を占有し得、縮小帯域幅デバイスはスペクトルの第4の物理的20MHz部分でサービスされる。部分1105bは、この実施形態では、80MHzのスペクトルのうちの(左から)第3の物理的20MHz周波数部分を占有する。
【００８０】
図10は、動作可能な実施形態において縮小帯域幅デバイスと通常帯域幅デバイスの両方との通信をサポートするためのトーンプランの使用を示す。図10は、縮小帯域幅デバイスと通常帯域幅デバイスの両方と通信するための共有の80MHzの周波数帯域幅の使用を示す。図10の実施形態では、アクセスポイントなどのデバイスは、20MHz部分1105b内で縮小帯域幅デバイスと通信するために、802.11axのHE-20トーンプランの変更された形態を利用し得る。いくつかの態様では、HE-20トーンプランのこの変更された形態は、縮小帯域幅デバイスに関する被影響トーンを含むHE-20トーンプラン内のリソースユニットの使用を回避し得る。いくつかの実施形態では、HE-20トーンプランのこの変更された形態は、HE-20トーンプラン内で縮小帯域幅デバイスに対する被影響トーンをパンクチャリングする場合がある。いくつかの実施形態では、変更されたトーンプランは、そうでなければ被影響トーンを利用することになるデータのコーディングを、エッジトーンまたはヌルトーンなどの他のトーンに移動させ得る。デバイスは、80MHzのスペクトルのうちの第2の部分1105a内で通常帯域幅デバイスと通信するために802.11axのHE-20トーンプランを利用し得る。デバイスは、通常帯域幅デバイスとも通信するために、80MHzの帯域幅のうちの第3の部分1105c内で802.11axのHE-80トーンプランを利用し得る。代替実施形態では、縮小帯域幅デバイスおよびしたがって変更されたHE-20トーンプランは、80MHzの帯域幅のうちの(左から)第3の物理的20MHz部分内で利用され得る。これらの実施形態では、HE-80トーンプランは、80MHzのスペクトルのうちの最低周波数の半分の部分(第1および第2の物理的20MHz部分)内で利用され得、802.11axのHE-20トーンプランは、80MHzのスペクトルのうちの最高周波数の20メガヘルツ部分(第4の物理的20MHz部分)内で利用される。
【００８１】
図11は、デバイスの各々の受信周波数範囲に基づいてデバイスに対するデータを符号化する方法に対するフローチャートである。いくつかの態様では、プロセス1300は、ワイヤレスデバイス202によって実行され得る。
【００８２】
ブロック1305において、第1のワイヤレスデバイスは、第2のワイヤレスデバイスへの送信のためのトーンプランを選択する。いくつかの実施形態では、選択されたトーンプランは、たとえば、図17〜図19において以下で説明するように、802.11axのHE-20、HE-40またはHE-80のトーンプランのうちの1つであり得る。いくつかの態様では、トーンプランは、上記の図8〜図12において説明した実施形態のうちの1つに従って選択される。
【００８３】
ブロック1310は、第2のワイヤレスデバイスが縮小帯域幅デバイスであるかまたは通常帯域幅デバイスであるかを決定する。いくつかの態様では、この決定は、第1のワイヤレスデバイスと第2のワイヤレスデバイスとの間の関連付けプロセスの間に与えられる機能情報に基づき得る。
【００８４】
第2のワイヤレスデバイスが縮小帯域幅デバイスでない場合、プロセス1300はブロック1335に移動し、そこで第2のワイヤレスデバイスとのデータ通信は、第2のワイヤレスデバイスとデータを交換する。いくつかの態様では、第2のワイヤレスデバイスとの通信は、選択されたトーンプランに従ってデータを符号化することと、データを送信することとを含む。たとえば、いくつかの態様では、選択されたトーンプランによって規定されるすべてのリソースユニットは、第2のワイヤレスデバイスに情報を送信するときに利用され得る。他の態様では、第2のワイヤレスデバイスとの通信は、選択されたトーンプランに従って第2のワイヤレスデバイスからデータを受信することを含み得る。
【００８５】
第2のワイヤレスデバイスが縮小帯域幅デバイスである場合、ブロック1320は、第2のワイヤレスデバイスのために選択されたトーンプラン内の被影響トーンを決定する。ブロック1305において選択されたトーンプランが802.11axのHE-40トーンプランであり、縮小帯域幅デバイスが左の物理的20MHz内でリソースユニットを利用する場合、トーン{-129、-128、-127}(第5の26-トーンRU内)は、(フィルタ設計に応じて)フィルタ処理において縮小帯域幅デバイス受信機のDCに分類され得、トーン{-5、-4}(第9の26-トーンRU、第4の52-トーンRU、第2の106-トーンRU、第1の242-トーンRU内)は、フィルタ処理において受信デバイスのガードバンドに分類され得る。したがって、これらのトーンは、いくつかの実施形態では、影響を受けるものとして決定され得る。
【００８６】
ブロック1305において選択されたトーンプランが802.11axのHE-40トーンプランであり、縮小帯域幅デバイスが右の物理的(PHY)20MHz内でリソースユニットを利用する場合、(フィルタ設計に応じて)トーン{+127、+128、+129}(第14の26-トーンRU内)は、フィルタ処理において縮小帯域幅デバイス受信機のDCに分類され得、トーン{+4、+5}(第10の26-トーンRU、第5の52-トーンRU、第3の106-トーンRU、第2の242-トーンRU内)は、フィルタ処理において受信機のガードバンドに分類され得る。したがって、これらのトーンは、いくつかの実施形態では、影響を受けるものとして決定され得る。縮小帯域幅デバイス内の受信機が、上記の分析が仮定するより広いフィルタ処理を利用する場合、被影響トーンは、トーン-5、-4、+4、+5を含まない。
【００８７】
ブロック1305において選択されたトーンプランが802.11axのHE-80トーンプランであり、縮小帯域幅デバイスが80MHzの送信帯域幅のうちの第1の物理的20MHz内で通信を実行する場合、被影響トーンは、第5の26トーンリソースユニットおよび第1の242トーンリソースユニット内のトーン-385、-384および-383を含み得る。これらのトーンは、これらがフィルタ処理において受信機のDCに分類されるときに影響を受ける場合がある。第1の242トーンリソースユニット内のトーン-259、第9の26トーンリソースユニット、第4の52トーンリソースユニット、第2の106トーンリソースユニット、第1の242トーンリソースユニット内のトーン-260および-261は、フィルタ処理において受信機のガードバンドに分類され得る。被影響トーンは、縮小帯域幅デバイス内の受信機の特定のフィルタ処理設計に依存し得る。
【００８８】
ブロック1305において選択されたトーンプランが802.11axのHE-80トーンプランであり、縮小帯域幅デバイスが第2の物理的20MHz内で通信を実行する場合、(フィルタ設計に応じて)トーン{-129、-128、-127}(第14の26-トーンRU、第2の242-トーンRU内)はフィルタ処理において受信機のDCに分類され、トーン{-4、-5}(第19の26-トーンRU内)、{-251、-252、-253、-254、-255、-256、-257}(第10の26-トーンRU、第5の52-トーンRU、第3の106-トーンRU、第2の242-トーンRU内)、-258(第2の242-トーンRU内)はフィルタ処理において受信機のガードバンドに分類され得る。したがって、これらのトーンは、ブロック1320のこれらの態様では、影響を受けるものとして決定され得る。
【００８９】
ブロック1305において選択されたトーンプランが802.11axのHE-80トーンプランであり、縮小帯域幅デバイスが第3の物理的20MHz内で通信を実行する場合、(フィルタ設計に応じて)トーン{+127、+128、+129}(第24の26-トーンRU、第3の242-トーンRU内)はフィルタ処理において受信機のDCに分類され、トーン{+4、+5}(第19の26-トーンRU内)、{+251、+252、+253、+254、+255、+256、+257}(第28の26-トーンRU、第12の52-トーンRU、第6の106-トーンRU、第3の242-トーンRU内)、+258(第3の242-トーンRU内)はフィルタ処理において受信機のガードバンドに分類され得る。したがって、これらのトーンは、ブロック1420のこれらの態様では、影響を受けるものとして決定され得る。
【００９０】
ブロック1305において選択されたトーンプランが802.11axのHE-80トーンプランであり、縮小帯域幅デバイスが第4の物理的20MHz内で通信を実行する場合、(フィルタ設計に応じて)トーン{+383、+384、+385}(第33の26-トーンRU、第4の242-トーンRU内)はフィルタ処理において受信機のDCに分類され、トーン+259(第4の242-トーンRU内)、{+260、+261}(第29の26-トーンRU、第13の26-トーンRU、第7の106-トーンRU、第4の242-トーンRU内)はフィルタ処理において受信機のガードバンドに分類され得る。802.11axのHE-80トーンプランを使用するとき、上記の分析において仮定されるより広いフィルタ処理を利用する縮小帯域幅デバイスの受信機設計は、トーン±4、±5、±251、±252、±253、±254、±259、±260、±261に影響を与えない。
【００９１】
ブロック1305において選択されたトーンプランが802.11axのHE-20トーンプランまたは802.11axのHE-40トーンプランであり、縮小帯域幅デバイスが20MHzトーン内で通信を実行する場合、縮小帯域幅デバイスは、26-トーンRU、52-トーンRU、106-トーンRUおよび242-トーンRUのうちの1つまたは複数の中にトーンマッピングを与え得る。トーンマッピングは、2.4GHzおよび5GHzの周波数帯域のうちの1つまたは複数に対して実行され得る。
【００９２】
ブロック1305において選択されたトーンプランが802.11axのHE-80 MHz、80+80MHzまたは160MHzトーンプランであり、縮小帯域幅デバイスが選択されたトーンプランの20MHzの帯域幅内で通信を実行する場合、縮小帯域幅デバイスは、26のトーンRU、52のトーンRU、106のトーンRUおよび242のトーンRUのうちの1つまたは複数に対してトーンマッピングを与え得る。このトーンマッピングは、いくつかの態様では、5GHzの周波数帯域に対して実行され得る。
【００９３】
ブロック1325は、被影響トーンを含む選択されたトーンプラン内のリソースユニットを決定する。HE-40トーンプランを利用する態様では、これは、左から右に向けて、第5、第9、第10、第14の26トーンリソースユニットと、第4、第5の52トーンリソースユニットと、第2および第3の106トーンリソースユニットと、第1および第2の242トーンリソースユニットとを含み得る。他のリソースユニットは、いくつかの態様では、符号化のために使用され得る。
【００９４】
ブロック1305においてHE-80トーンプランを選択する態様では、決定されたリソースユニットは、左から右に向けて、第5、第9、第10、第14、第19、第24、第28、第29、第33の26トーンリソースユニットと、第4、第5、第12、第13の52トーンリソースユニットと、第2、第3、第6、第7の106トーンリソースユニットと、第4の242トーンリソースユニットとであり得る。他のリソースユニットは、いくつかの態様では、符号化のために使用され得る。160MHzの帯域幅にわたって送信するいくつかの態様では、HE-80トーンプランは、160MHzの帯域幅のうちの下部の80MHz部分内で利用され得、160MHzの帯域幅のうちの上部の80MHz部分内で複製され得る。いくつかの態様では、送信のために利用される2つの80MHz部分は連続するのではなく、したがって160MHzの帯域幅より大きく広がる場合がある。2つの不連続の80MHz部を利用するこれらの態様は、本明細書では80+80MHzの帯域幅と呼ばれることがある。
【００９５】
ブロック1330において、データは、選択されたトーンプランを使用して第2のワイヤレスデバイスと通信されるが、被影響トーンを含む決定されたリソースユニットを利用することはない。いくつかの態様では、被影響トーンを含むリソースユニットのいくつかが使用され得る。たとえば、HE-80MHzトーンプランを利用するいくつかの態様では、第2および第7の106トーンリソースユニットならびに第1および第4の242トーンリソースユニットは、たとえそれらがブロック1325において影響を受けるものとして決定されたとしても、依然として利用され得る。いくつかの他の態様では、第5、第10、第14、第24、第28および第33の26トーンリソースユニットならびに第5および第12の52トーンリソースユニットだけが、第2のワイヤレスデバイスにデータを送信するときに使用から除かれる場合がある。いくつかの態様では、ブロック1330の性能は、それが本質的に異なる第2のトーンプランであるように、ブロック1305内で選択されたトーンプランを変更し得ることに留意されたい。第2のトーンプランは、主に、ブロック1305内で選択されたトーンプランに基づき得るが、被影響リソースユニットは、縮小帯域幅デバイスに送信するときに、効果的に未使用のままである。様々な態様では、ブロック1330においてデータを通信するステップは、第2のデバイスにデータを送信するステップかまたは第2のデバイスからデータを受信するステップを含み得る。
【００９６】
図12は、図11のブロック1330によって符号化されたデータを復号する方法に対するフローチャートである。いくつかの態様では、プロセス1350は、ワイヤレスデバイス202によって実行され得る。
【００９７】
図11は上記で説明したトーンプランに従ってデータを通信するデバイスによって実行され得る機能を示すが、データを送信するかまたはデータを受信および復号するデバイスを含む態様も同様に企図されることに留意されたい。たとえば、特定のトーンまたはリソースユニットが802.11axトーンプランに対して未使用である限りにおいて、受信デバイスは、それらのトーンおよび/またはリソースユニットを選択的に無視することになる。言い換えれば、受信デバイスは、受信されたフレーム内で符号化されたデータを復号するとき、それらのトーンまたはリソースユニットに依存しない。
【００９８】
ブロック1352において、図11のブロック1330によって符号化および送信されたフレームが受信され得る。したがって、ブロック1352において受信されたフレームは、図11に関して上記で説明した特性または属性のいずれかを有し得る。
【００９９】
ブロック1354において、受信されたフレームは、図11に関して上記で説明した符号化するステップに従って復号され、復号されたデータが処理される。いくつかの態様では、データを処理するステップは、フレーム内の符号化されたデータを、セルフォンアプリケーション、ビデオストリーミングアプリケーション、テキストメッセージングアプリケーション、または当技術分野で知られている他のアプリケーションなどのアプリケーションプログラムに渡すステップを含み得る。
【０１００】
図13は、図11のブロック1330によって符号化されたデータを送信する方法に対するフローチャートである。いくつかの態様では、プロセス1375は、ワイヤレスデバイス202によって実行され得る。
【０１０１】
図13は上記で説明したトーンプランに従ってデータを送信するデバイスによって実行され得る機能を示すが、送信されたデータを受信および復号するデバイスを含む態様も同様に企図されることに留意されたい。たとえば、特定のトーンまたはリソースユニットが802.11axトーンプランに対して未使用である限りにおいて、受信デバイスは、それらのトーンおよび/またはリソースユニットを選択的に無視することになる。言い換えれば、受信デバイスは、受信されたフレーム内で符号化されたデータを復号するとき、それらのトーンまたはリソースユニットに依存しない。
【０１０２】
ブロック1382において、図11のブロック1330によって符号化されたフレームが生成され得る。したがって、ブロック1382において生成されたフレームは、図11に関して上記で説明した特性または属性のいずれかを有し得る。
【０１０３】
ブロック1384において、生成されたフレームがネットワーク上に送信される。
【０１０４】
図14は、デバイスの各々の受信周波数範囲に基づいてデバイスに対するデータを符号化する方法に対するフローチャートである。いくつかの態様では、プロセス1400は、ワイヤレスデバイス202によって実行され得る。たとえば、いくつかの態様では、メモリ206は、図14に関して下で説明する機能のうちの1つまたは複数を実行するようにプロセッサ204を構成する命令を記憶し得る。
【０１０５】
ブロック1405において、第1のワイヤレスデバイスは、第2のワイヤレスデバイスへの送信のためのトーンプランを選択する。いくつかの実施形態では、選択されたトーンプランは、たとえば、図17〜図19において以下で説明するように、802.11axのHE-20、HE-40またはHE-80のトーンプランのうちの1つであり得る。いくつかの態様では、トーンプランは、上記の図6〜図10において説明した実施形態のうちの1つに従って選択される。
【０１０６】
ブロック1410は、第2のワイヤレスデバイスが縮小帯域幅デバイスであるかまたは通常帯域幅デバイスであるかを決定する。いくつかの態様では、決定は、第1のワイヤレスデバイスと第2のワイヤレスデバイスとの間の関連付けプロセスの間に与えられる機能情報に基づき得る。
【０１０７】
第2のワイヤレスデバイスが縮小帯域幅デバイスでない場合、プロセス1400はブロック1435に移動し、そこで第2のワイヤレスデバイスのためのデータは、選択されたトーンプランに従って通信される。いくつかの態様では、データを通信するステップは、選択されたトーンプランに従ってデータを符号化するステップと、データを送信するステップとを含み得る。たとえば、いくつかの態様では、選択されたトーンプランのすべてのトーンおよび/またはリソースユニットは、ブロック1435において、第2のワイヤレスデバイスにデータを送信するときに利用され得る。第2のワイヤレスデバイスが縮小帯域幅デバイスである場合、ブロック1420は、第2のワイヤレスデバイスのために選択されたトーンプラン内の被影響トーンを決定する。いくつかの他の態様では、データを通信するステップは、選択されたトーンプランに従って、データを受信するステップと受信されたデータを復号するステップとを含み得る。
【０１０８】
ブロック1405において選択されたトーンプランが802.11axのHE-40トーンプランであり、縮小帯域幅デバイスが左の物理的20MHz内でリソースユニットを利用する場合、(フィルタ設計に応じて)トーン{-129、-128、-127}(第5の26-トーンリソースユニット内)は、フィルタ処理において縮小帯域幅デバイス受信機のDCに分類され得、トーン{-5、-4}(第9の26-トーンRU、第4の52-トーンRU、第2の106-トーンRU、第1の242-トーンRU内)は、フィルタ処理において縮小帯域幅デバイス受信機のガードバンドに分類され得る。したがって、これらのトーンは、いくつかの実施形態では、影響を受けるものとして決定され得る。
【０１０９】
ブロック1405において選択されたトーンプランが802.11axのHE-40トーンプランであり、縮小帯域幅デバイスが右の物理的20MHz内でリソースユニットを利用する場合、(フィルタ設計に応じて)トーン{+127、+128、+129}(第14の26-トーンRU内)は、フィルタ処理において受信機のDCに分類され得、トーン{+4、+5}(第10の26-トーンRU、第5の52-トーンRU、第3の106-トーンRU、第2の242-トーンRU内)は、フィルタ処理において受信機のガードバンドに分類され得る。したがって、これらのトーンは、いくつかの実施形態では、影響を受けるものとして決定され得る。縮小帯域幅デバイス内の受信機が、上記の分析が仮定するより広いフィルタ処理を利用する場合、被影響トーンは、トーン-5、-4、+4、+5を含まない。
【０１１０】
ブロック1405において選択されたトーンプランが802.11axのHE-80トーンプランであり、縮小帯域幅デバイスが80MHzの送信帯域幅のうちの第1の物理的20MHz内で通信を実行する場合、被影響トーンは、第5の26トーンリソースユニットおよび第1の242トーンリソースユニット内のトーン-385、-384および-383を含み得る。これらのトーンは、これらがフィルタ処理において受信機のDCに分類されるときに影響を受ける場合がある。第1の242トーンリソースユニット内のトーン-259、第9の26トーンリソースユニット、第4の52トーンリソースユニット、第2の106トーンリソースユニット、第1の242トーンリソースユニット内のトーン-260および-261は、フィルタ処理において受信機のガードバンドに分類され得る。被影響トーンは、縮小帯域幅デバイス内の受信機の特定のフィルタ処理設計に依存し得る。
【０１１１】
ブロック1405において選択されたトーンプランが802.11axのHE-80トーンプランであり、縮小帯域幅デバイスが第2の物理的20MHz内で通信を実行する場合、(フィルタ設計に応じて)トーン{-129、-128、-127}(第14の26-トーンRU、第2の242-トーンRU内)はフィルタ処理において受信機のDCに分類され、トーン{-4、-5}(第19の26-トーンRU内)、{-251、-252、-253、-254、-255、-256、-257}(第10の26-トーンRU、第5の52-トーンRU、第3の106-トーンRU、第2の242-トーンRU内)、-258(第2の242-トーンRU内)はフィルタ処理において受信機のガードバンドに分類され得る。したがって、これらのトーンは、ブロック1420のこれらの態様では、影響を受けるものとして決定され得る。
【０１１２】
ブロック1405において選択されたトーンプランが802.11axのHE-80トーンプランであり、縮小帯域幅デバイスが第3の物理的20MHz内で通信を実行する場合、(フィルタ設計に応じて)トーン{+127、+128、+129}(第24の26-トーンRU、第3の242-トーンRU内)はフィルタ処理において受信機のDCに分類され、トーン{+4、+5}(第19の26-トーンRU内)、{+251、+252、+253、+254、+255、+256、+257}(第28の26-トーンRU、第12の52-トーンRU、第6の106-トーンRU、第3の242-トーンRU内)、+258(第3の242-トーンRU内)はフィルタ処理において受信機のガードバンドに分類され得る。したがって、これらのトーンは、ブロック1420のこれらの態様では、影響を受けるものとして決定され得る。
【０１１３】
ブロック1405において選択されたトーンプランが802.11axのHE-80トーンプランであり、縮小帯域幅デバイスが第4の物理的20MHz内で通信を実行する場合、(フィルタ設計に応じて)トーン{+383、+384、+385}(第33の26-トーンRU、第4の242-トーンRU内)はフィルタ処理において受信機のDCに分類され、トーン+259(第4の242-トーンRU内)、{+260、+261}(第29の26-トーンRU、第13の26-トーンRU、第7の106-トーンRU、第4の242-トーンRU内)はフィルタ処理において受信機のガードバンドに分類され得る。802.11axのHE-80トーンプランを使用するとき、上記の分析において仮定されるより広いフィルタ処理を利用する縮小帯域幅デバイス受信機の設計は、トーン±4、±5、±251、±252、±253、±254、±259、±260、±261に影響を与えない。
【０１１４】
ブロック1425は、パンクチャリングする被影響トーンのサブセットを決定する。いくつかの態様では、ブロック1425において決定されたサブセットは、ブロック1420において決定されたすべてのトーンである。プロセス1400のいくつかの態様では、ブロック1425は実行されない。いくつかの態様では、ブロック1425におけるサブセットの決定は、選択されたトーンプランのリソースユニット内の被影響トーンの位置に基づく。
【０１１５】
たとえば、HE-40トーンプランを利用するいくつかの態様では、トーン-129、-128、-127、+127、+128および+129だけがパンクチャリングされる。HE-80トーンプランを利用するいくつかの態様では、第2、第7の106トーンリソースユニットならびに第1および第4の242トーンリソースユニット内の被影響トーンはパンクチャリングされず、したがってブロック1425内で決定されたサブセットは、これらのトーンを含まない。ブロック1405においてHE-80トーンプランを選択する他の態様では、第5、第10、第14、第24、第28、第33の26-トーンリソースユニットならびに第5および第12の52-トーンリソースユニット内の被影響トーンだけがパンクチャリングされる。
【０１１６】
ブロック1430は、選択されたトーンプランを使用して第2のワイヤレスデバイスとデータを通信する一方で、決定されたトーンをパンクチャリングする。本明細書で使用するように、パンクチャリングトーンは、データが符号化されるとき、リソースユニット内のデータを符号化するためにそれらのトーンは利用できないことを示す。したがって、たとえば、選択されたトーンプラン内に26のトーンを有し、3つの被影響トーンを有するリソースユニットは、(すべての被影響トーンがパンクチャリングされることを仮定する)いくつかの態様では、ブロック1430においてデータを符号化するのに利用可能な23のトーンだけを有し得る。これらの態様では、バイナリ畳み込みコード(BCC)インターリーバ/低密度パリティチェック(LDPC)トーンマッピングが、間引きトーンを有する26-トーンリソースユニット内などで利用され得る。
【０１１７】
いくつかの態様では、ブロック1430は、ブロック1405において選択されたトーンプランによって要求されないデータを符号化するために追加のトーンを利用し得る。たとえば、ブロック1430は、ブロック1420または1425のいずれかの中で決定された被影響トーンを、ヌルトーンおよび/またはガードトーンなど、他のロケーション内のトーンと置き換え得る。第2のワイヤレスデバイスにデータを送信するブロック1430の態様では、第2のデバイスに対するデータは、次いで、ブロック1430におけるこれらの置換えトーンを用いて符号化および送信され得る。第2のワイヤレスデバイスからデータを受信するブロック1430の態様では、受信後のデータの復号は、受信されたデータを解釈するために置換えトーンを復号し得る。
【０１１８】
たとえば、802.11axのHE-40トーンプランを選択するいくつかの態様では、HE-40トーンプラン内の第5および第14の26-トーンリソースユニットに対して、被影響トーン±127、±128および±129は、ヌルトーン±110、±137および±244によって置き換えられ得る。いくつかの態様では、第9および第10の26トーンリソースユニットならびに第4および第5の52トーンリソースユニットに対して、被影響トーン±4、±5は、ヌルトーン±56および±57によって置き換えられ得る。いくつかの態様では、第2および第3の106-トーンリソースユニットならびに第1および第2の242トーンリソースユニットに対して、被影響トーン±4および±5は、ガードトーン±245および±246によって置き換えられ得る。いくつかの態様では、上記で説明した置換えのサブセットが実行され得る。たとえば、いくつかの態様では、26および52トーンリソースユニット内の被影響トーンだけが、上記で説明したように置き換えられるが、106および242トーンリソースユニット内の被影響トーンは置き換えられない。いくつかの他の実施形態では、第5および第14の26トーンリソースユニット内の被影響トーンは置き換えられるが、それ以外の被影響トーンは置き換えられない。
【０１１９】
802.11axのHE-80トーンプランを選択するいくつかの態様では、第5および第33の26-トーンリソースユニット内で、トーン±383、±384および±385は、ヌルトーン±366、±393および±500によって置き換えられ得る。第14および第24の26-トーンリソースユニット内で、トーン±127、±128、±129は、ヌルトーン±17、±124、±151によって置き換えられ得る。第9および第29の26-トーンリソースユニットならびに第4および第13の52-トーンリソースユニット内で、トーン±260、±261は、ヌルトーン±312、±313によって置き換えられ得る。第10および第28の26-トーンリソースユニットならびに第5および第12の52-トーンリソースユニット内で、トーン±256、±257は、ヌルトーン±204、±205によって置き換えられ得、次いで5つまでのトーン(±251、±252、±253、±254、±255)がパンクチャリングされ得る。いくつかの態様では、第19の26-トーンRU内で、このRUが使用される場合にトーン±4、±5はパンクチャリングされ得、代替的に、このリソースユニットは、ブロック1405において選択されたトーンプランに従って符号化され得る。いくつかの態様では、第3および第6の106-トーンリソースユニット内ならびに第2および第3の242-トーンリソースユニット内で、被影響トーンはパンクチャリングされ得る。代替的に、これらのリソースユニットは、ブロック1405において選択されたトーンプランによって規定されるように利用され得る。
【０１２０】
いくつかの態様は、第2および第7の106-トーンリソースユニット内の6つまでの被影響トーンを置換し得、トーン±252、±253、±254、±255、±256、±257など、第1および第4の242-トーンリソースユニットは、ガードトーン±501、±502、±503、±504、±505、±506によって置換され得る。いくつかの他の態様では、トーン±255、±256、±257だけが、トーン±501、±502、±503によって置換され得る。いくつかの他の態様では、トーン±256、±257だけが、トーン±501、±502によって置換され得る。いくつかの他の態様では、いずれのトーンも置換されない。いくつかの態様では、中央の26-トーンリソースユニット(第19の26-トーンRU)は、第10および第28の26-トーンリソースユニット、第5および第12の52-トーンリソースユニット、ならびに106-および242-トーンリソースユニットがその中でデータトーンを移動し得るようにトーンプラン内で再配置され得る。
【０１２１】
ブロック1405においてHE-80トーンプランを選択するいくつかの他の態様では、データは、第2および第7の106トーンリソースユニットならびに第1および第4の242トーンリソースユニットが移動されないことを除いて、上記で説明した置換されたトーンに移動される。ブロック1405においてHE-80トーンプランを選択するいくつかの他の態様では、上記で説明した置換トーンを第5、第10、第14、第24、第28、第33の26トーンリソースユニットならびに第5および第12の52トーンリソースユニットに対してのみ与える。
【０１２２】
ブロック1430の代替実装形態は、ブロック1420および/または1425のいずれかにおいて決定されたいずれのトーンも、パンクチャリングしない。したがって、これらの態様では、被符号化データ(直交振幅変調シンボルなど)は、被影響トーンを使用して送信される。これらの態様では、被影響トーンを使用して送信される被符号化データはまた、上記で説明した追加のトーンを含む追加のトーンを使用して送信され得る。これらの態様では、被影響トーンを使用して送信されるデータは、2つの異なるトーンを使用して2つの形態で送信され得る。しかしながら、コピーのうちの1つは被影響トーンを介して送信されるので、そのコピーは、第2のワイヤレスデバイスによって適切には受信されない。
【０１２３】
ブロック1405においてHE-80トーンプランを選択するこれらの代替の態様のうちのいくつかにおいて、データは、第2および第7の106トーンリソースユニットならびに第1および第4の242トーンリソースユニットを除いて、上記で説明した2つのトーンを使用して符号化される。これらの代替の態様のうちのいくつかの他のサブ態様では、デュアルトーンは、第5、第10、第14、第24、第28、第33の26トーンリソースユニットならびに第5および第12の52-トーンリソースユニットに対してのみ、被符号化データ(直交振幅変調シンボルなど)を送信するために使用される。
【０１２４】
図15は、上記で説明したプロセス1400によって符号化されたデータを復号する方法に対するフローチャートである。いくつかの態様では、プロセス1500は、ワイヤレスデバイス202によって実行され得る。たとえば、いくつかの態様では、メモリ206は、図14に関して以下で説明する機能のうちの1つまたは複数を実行するようにプロセッサ204を構成する命令を記憶し得る。
【０１２５】
図14は上記で説明したトーンプランに従ってデータを通信するデバイスによって実行され得る機能を示すが、いくつかの態様は、データを受信および復号するデバイスを含む。たとえば、特定のトーンまたはリソースユニットが802.11axトーンプランに対して未使用である限りにおいて、受信デバイスは、それらのトーンおよび/またはリソースユニットを選択的に無視することになる。同様に、上記で説明したデュアルトーンを使用してデータが送信される限りにおいて、受信デバイスは、デュアルトーンの使用に従って受信されたメッセージを復号することになる。たとえば、受信デバイスは、最初に、データに対するデュアルトーンのうちの1つ(たとえば、標準規格802.11axトーンプランの外の補助トーン)を復号し得、成功しなかった場合、デュアルトーンのうちの他方、たとえば使用中に標準規格802.11axトーンプランによって要求されるトーンの復号を試みることができる。同様に、上記で説明した送信実施形態が、被影響トーンから他のトーンへのデータの再配置を記述している限りにおいて、被符号化データを受信するデバイスは、新しいロケーションからのデータを復号する。
【０１２６】
ブロック1505において、図14のブロック1430によって符号化および送信されたフレームが受信され得る。したがって、ブロック1505において受信されたフレームは、図14に関して上記で説明した特性または属性のいずれかを有し得る。
【０１２７】
ブロック1504において、受信されたフレームは、図14に関して上記で説明した符号化するステップに従って復号され、復号されたデータが処理される。いくつかの態様では、フレームを処理するステップは、フレーム内の符号化されたデータを、セルフォンアプリケーション、ビデオストリーミングアプリケーション、テキストメッセージングアプリケーション、または当技術分野で知られている他のアプリケーションなどのアプリケーションプログラムに渡すステップを含み得る。
【０１２８】
図15は、図14の方法によって符号化されたデータを復号する方法に対するフローチャートである。
【０１２９】
図16は、802.11axにおける高効率の20MHz、40MHzおよび80MHzのトーンプランに対するヌルサブキャリアインデックスの表である。
【０１３０】
図17は、20MHz高効率PPDU内のリソースユニット(RU)に対するサブキャリアインデックスの表である。
【０１３１】
図18は、40MHz高効率PPDU内のリソースユニットに対するサブキャリアインデックスの表である。
【０１３２】
図19は、80MHz高効率PPDU内のリソースユニットに対するサブキャリアインデックスの表である。
【０１３３】
図20は、トーンプランを選択する方法のフローチャートである。いくつかの態様では、20MHzの帯域幅のみを用いて動作することができるデバイスなど、縮小帯域幅デバイスを含むOFDMA通信を実行するとき、データを特定のトーンに割り当てることを回避するトーンプランが選択される。いくつかの態様では、図20に関して説明するプロセス2000は、ワイヤレスデバイス202によって実行され得る。いくつかの態様では、ワイヤレスデバイス202は、上記で説明したAP104などのアクセスポイントであり得る。
【０１３４】
決定ブロック2005は、OFDMA送信のために使用されるトーンプランがHE40、HE80、HE160またはHE80+80のトーンプランのうちの1つであるかどうかを決定する。異なるトーンプランが使用される場合、プロセス2000は右へと続く。そうではなく、識別されたトーンプランのうちの1つが送信のために使用される場合、決定ブロック2010は、OFDMA送信内に20MHzだけの局が含まれているかどうかを決定する。そのようなデバイスが送信内に含まれる場合、プロセス2000はブロック2015に移動する。
【０１３５】
ブロック2015は、OFDMA送信に対して最初の20MHzチャネル内の中央の26トーンリソースユニットを割り当てないトーンプランを選択する。
【０１３６】
ブロック2020において、OFDMA送信は、選択されたトーンプランを使用して実行される。
【０１３７】
図21は、動作帯域幅を選択する方法のフローチャートである。いくつかの態様では、図21に関して以下で説明するプロセス2100は、ワイヤレスデバイス202によって実行され得る。たとえば、ハードウェアプロセッサ204は、図21に関して以下で説明する機能のうちの1つまたは複数を実行するようにメモリ206に記憶される命令によって構成され得る。
【０１３８】
決定ブロック2105は、局の動作帯域幅が20MHzに限定されるかどうかを決定する。たとえば、いくつかの態様では、局は、20MHzの周波数帯域内でのみ送信/受信し得る受信機/送信機/トランシーバのハードウェアを有し得る。
【０１３９】
動作帯域幅が限定される場合、プロセス2100はブロック2120に移動し、そこでデバイスは、20MHzの帯域幅でのみ動作する。20MHzの帯域幅内で動作するステップは、OFDMA通信に参加するステップを含み得、OFDMA通信において受信または送信されるデータは、20MHzの帯域幅内で符号化される。
【０１４０】
プロセス2100を実行するデバイスの動作帯域幅が20MHzに限定されない場合、プロセス2100は決定ブロック2110に移動し、決定ブロック2110は、デバイスがその帯域幅を20MHzに縮小すべきであることを動作モードが示しているかどうかを決定する。帯域幅が縮小されることをそのモードが示す場合、プロセス2100は、決定ブロック2110からブロック2120に移動し、ブロック2120は上記で説明したように動作する。
【０１４１】
そうでない場合、プロセス2100は、決定ブロック2110からブロック2115に移動する。ブロック2115において、プロセス2100を実行するデバイスは、20MHz、40MHz、80MHz、160MHzまたは80+80MHzの帯域幅のうちの2つ以上において動作するように帯域幅を選択する。
【０１４２】
図22は、第1および第2のデバイスと通信するための方法のフローチャートである。第2のデバイスは、20MHzの帯域幅を用いてのみ通信可能であり得るという点で、第2のデバイスは縮小帯域幅デバイスであり得る。第1のデバイスは、40MHz、80MHz、160MHzまたは80+80MHzの帯域幅など、より広い帯域幅内で通信可能であり得る。いくつかの態様では、図22に関して以下で説明するプロセス2200は、ワイヤレスデバイス202によって実行され得る。たとえば、メモリ206に記憶されている命令は、以下で説明する機能のうちの1つまたは複数を実行するようにハードウェアプロセッサ204を構成し得る。第1および第2のデバイスの各々に対して特定のトーンプランを選択することによって、プロセス2200は、アクセスポイントが、広い帯域幅にわたって第1のデバイスと通信しながら、縮小された20MHzの帯域幅にわたって第2のデバイスとも同時に通信することを可能にし得る。いくつかの態様では、第2のデバイスはレガシーデバイスであり得、したがってあまり能力が高くないハードウェアを有し得る。以下の説明では、プロセス2200を実行するデバイスは、プロセス2200デバイスと呼ばれることがある。いくつかの態様では、プロセス2200は、アクセスポイントによって実行され得る。
【０１４３】
ブロック2205は、第1のデバイスが第1の帯域幅内でデータを通信する一方で第2のデバイスは20MHzの第2の帯域幅内でデータを通信すると決定する。第2の帯域幅は、第1の帯域幅内に入り得る。いくつかの態様では、第1の帯域幅は、40MHz、80MHz、160MHzまたは80+80MHzであり得る。いくつかの態様では、第2のデバイスは、第1のデバイスの20MHzの最初のチャネル内でデータを通信する。いくつかの態様では、プロセス2200は、複数のデバイスが第1の帯域幅および/または第2の帯域幅内で通信することになると決定し得る。たとえば、第3のデバイスは、第1および第2のデバイスと同時に第1の帯域幅内で通信する。いくつかの態様では、第4のデバイスは、第1、第2および/または第3のデバイスと同時に第2の帯域幅内で通信する。
【０１４４】
ブロック2210において、第1のトーンプランは第1のデバイスのために選択され、第2のトーンプランは第2のデバイスのために選択される。第1のトーンプランは、データを通信するために第2の帯域幅を有するリソースユニットの第1のセットを利用し得る。第2のトーンプランは、第2の帯域幅内でデータを通信するためにリソースユニットの第1のセットのサブセットを利用し得る。いくつかの態様では、第1および第2のトーンプランはともに、第1および第2の帯域幅の中央の26トーンリソースユニットを制限し得る。プロセス2200デバイスおよび第1のデバイスが40MHzの帯域幅にわたって通信するいくつかの態様では、第2のトーンプランは、第5および第14の26トーンリソースユニットを制限する。
【０１４５】
プロセス2200デバイスおよび第1のデバイスが80MHzの帯域幅にわたって通信するいくつかの態様では、第2のトーンプランは、第5、第10、第14、第19、第24、第28および第33の26トーンリソースユニットを制限する。プロセス2200デバイスおよび第1のデバイスが80MHzの帯域幅にわたって通信するいくつかの他の態様では、第2のトーンプランは、第5および第12の52トーンリソースユニットを制限する。プロセス2200デバイスおよび第1のデバイスが80MHzの帯域幅にわたって通信するいくつかの他の態様では、第2のトーンプランは、第3および第6の106トーンリソースユニットを制限する。
【０１４６】
アップリンクデータが第2のデバイスからプロセス2200デバイスに送信されるいくつかの態様では、第2のトーンプランは、242トーンリソースユニットを制限する。ダウンリンクデータがプロセス2200デバイスから第2のデバイスに送信されるいくつかの態様では、第2のトーンプランは、242トーンリソースユニットを制限する。しかしながら、他の態様では、ダウンリンク送信は、242トーンリソースユニットを制限しない。
【０１４７】
プロセス2200デバイスおよび第1のデバイスが160MHzの帯域幅または80+80MHzの帯域幅を使用して通信するいくつかの態様では、第1のトーンプランは80MHzの帯域幅に割り振られた第1の部分と第2の重複しない80MHzの帯域幅に割り振られた第2の部分とを含み、第2の部分は第1の部分を複製する。
【０１４８】
ブロック2220において、第1のデータがより広い帯域幅にわたって第1のデバイスと通信されると同時に、第2のデータがより狭い20MHzの帯域幅にわたって第2のデバイスと通信される。第1のデバイスとの通信は第1のトーンプランを利用する一方で、第2のデバイスとの通信は第2のトーンプランを使用する。いくつかの態様では、第1のデータおよび第2のデータの通信は、直交周波数分割多元接続(OFDMA)送信の一部として実行される。
【０１４９】
図23は、マルチユーザ送信の一部分を受信するための方法のフローチャートである。マルチユーザ送信は、第1のデバイス用の第1のデータと第2のデバイス用の第2のデータとを含み得る。第1のデータは、第2のデータとは異なる帯域幅にわたって送信され得る。たとえば、第2のデータは20MHzの帯域幅にわたって送信され得る一方で、第1のデータはより広い帯域幅にわたって送信され得るが、20MHzの帯域幅を含む帯域幅は第2のデータを送信するために使用される。
【０１５０】
いくつかの態様では、第2のデバイスはレガシーデバイスであり得、したがってあまり能力が高くないハードウェアを有し得る。以下の説明では、プロセス2300を実行するデバイスは、プロセス2300デバイスと呼ばれることがある。いくつかの態様では、プロセス2300は局によって実行され得る。
【０１５１】
ブロック2305において、マルチユーザ送信が受信される。マルチユーザ送信は、第1のデバイスに宛てられた第1のデータと第2のデバイスに宛てられた第2のデータとを含む。上記で説明したように、第1のデータは、第2のデータより広い帯域幅にわたって送信され得る。第1のデータは第1のトーンプランに従って符号化され得、第2のデータは第2のトーンプランに従って符号化され得る。
【０１５２】
ブロック2310において、マルチユーザ送信は、第1のまたは第2のトーンプランに従って復号される。プロセス2300が第1のデバイスによって実行されるとき、送信は第1のトーンプランに従って復号される一方で、プロセス2300が第2のデバイスによって実行されるとき、送信は第2のトーンプランに従って復号される。いくつかの態様では、マルチユーザ通信は、第1のまたは第2のトーンプランに従って中央の26トーンリソースユニットを除きながら復号される。いくつかの態様では、マルチユーザ通信は、第2のトーンプランに従って第5および第14の26トーンリソースユニットを除きながら復号される。いくつかの態様では、マルチユーザ通信は、第2のトーンプランに従って第5、第10、第14、第19、第24、第28および第33の26トーンリソースユニットを除きながら復号される。いくつかの態様では、マルチユーザ通信は、第2のトーンプランに従って第5および第12の52トーンリソースユニットを除きながら復号される。いくつかの態様では、マルチユーザ通信は、第2のトーンプランに従って第3および第6の106トーンリソースユニットを除きながら復号される。いくつかの態様では、マルチユーザ通信は、第2のトーンプランに従って242トーンリソースユニットを除きながら復号される。いくつかの態様では、マルチユーザ通信は、第2のトーンプランに従って242トーンリソースユニットを復号することによって復号される。プロセス2300のいくつかの態様は、160MHzまたは80MHz+80MHzの帯域幅にわたって第1のデバイスからデータを受信するステップを含み、第1のトーンプランは80MHzの帯域幅に割り振られた第1の部分と第2の重複しない80MHzの帯域幅に割り振られた第2の部分とを含み、第2の部分は第1の部分を複製する。
【０１５３】
当業者は、情報および信号が、様々な異なる技術および技法のうちのいずれかを使用して表され得ることを理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１５４】
本開示において説明される実装形態に対する様々な修正は、当業者には容易に明らかであり得、本明細書において定義される一般原理は、本開示の趣旨または範囲から逸脱することなく、他の実装形態に適用され得る。したがって、本開示は、本明細書において示される実装形態に限定されるものではなく、本明細書において開示される特許請求の範囲、原理および新規の特徴と一致する最も広い範囲を与えられるべきである。「例示的な」という単語は、本明細書では、「例、事例、または例示としての役割を果たす」を意味するようにもっぱら使用される。「例示的な」として本明細書において説明される任意の実装形態は、必ずしも他の実装形態よりも好ましいか、または有利であると解釈されるべきではない。
【０１５５】
別個の実装形態の文脈において本明細書で説明する特定の特徴は、単一の実装形態において組み合わせて実装されることも可能である。逆に、単一の実装形態の文脈において説明される様々な特徴は、複数の実装形態において別々に、または任意の適切な部分組合せにおいて実装されることもある。さらに、特徴は特定の組合せで機能すると上で説明され、最初にそのように特許請求されることもあるが、特許請求される組合せからの1つまたは複数の特徴は、場合によっては、その組合せから削除されることがあり、特許請求される組合せは、部分組合せまたは部分組合せの変形を対象とすることがある。
【０１５６】
本明細書で使用する、項目のリスト「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-cを包含することを意図する。
【０１５７】
上記で説明した方法の様々な動作は、様々なハードウェアおよび/またはソフトウェア構成要素、回路、ならびに/あるいはモジュールなどの、動作を実行することが可能な任意の適切な手段によって実行されてもよい。概して、図に示される任意の動作は、動作を実行することが可能な対応する機能的手段によって実行されてもよい。
【０１５８】
本開示に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ信号(FPGA)もしくは他のプログラマブル論理デバイス(PLD)、個別ゲートもしくはトランジスタ論理、個別ハードウェア構成要素、または、本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【０１５９】
1つまたは複数の態様では、説明した機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMまたは他の光ディスクストレージ、磁気ディスクストレージまたは他の磁気記憶デバイス、あるいは命令またはデータ構造の形態の所望のプログラムコードを搬送または記憶するために使用され得、コンピュータによってアクセスされ得る任意の他の媒体を備え得る。また、いかなる接続もコンピュータ可読媒体と適切に呼ばれる。たとえば、ソフトウェアが、同軸ケーブル、光ファイバケーブル、より対線、デジタル加入者線(DSL)、または、赤外線、無線、およびマイクロ波などのワイヤレス技術を使用してウェブサイト、サーバ、または他のリモートソースから送信される場合、同軸ケーブル、光ファイバケーブル、より対線、DSL、または、赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク（登録商標）(disc)、光ディスク(disc)、デジタル多用途ディスク(disc)(DVD)、フロッピーディスク(disk)およびBlu-ray（登録商標）ディスク(disc)を含み、ディスク(disk)は通常、データを磁気的に再生し、ディスク(disc)は、レーザーを用いてデータを光学的に再生する。したがって、いくつかの態様では、コンピュータ可読媒体は、非一時的コンピュータ可読媒体(たとえば有形媒体)を備え得る。さらに、いくつかの態様では、コンピュータ可読媒体は、一時的コンピュータ可読媒体(たとえば信号)を備え得る。上記の組合せも、コンピュータ可読媒体の範囲内に含まれるべきである
。
【０１６０】
本明細書で開示する方法は、説明した方法を実現するための1つまたは複数のステップまたはアクションを備える。本方法のステップおよび/またはアクションは、特許請求の範囲から逸脱することなく互いに交換され得る。言い換えれば、ステップまたはアクションの特定の順序が指定されない限り、特定のステップおよび/またはアクションの順序および/または使用は特許請求の範囲から逸脱することなく変更され得る。
【０１６１】
さらに、本明細書において説明する方法および技法を実行するためのモジュールおよび/または他の適切な手段は、適用可能な場合、ユーザ端末および/または基地局によってダウンロードおよび/または別の方法で取得されてもよいことを理解されたい。たとえば、そのようなデバイスは、本明細書において説明される方法を実行するための手段の転送を容易にするためにサーバに結合されてもよい。代替的に、本明細書において説明される様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてもよい。さらに、本明細書において説明される方法および技法をデバイスに提供するための任意の他の適切な技法が利用されてもよい。
【０１６２】
上記は本開示の態様を対象とするが、本開示の他の態様およびさらなる態様は、その基本的範囲から逸脱することなく考案され得、その範囲は以下の特許請求の範囲によって決定される。
【符号の説明】
【０１６３】
100  ワイヤレス通信システム
102  基本サービスエリア(BSA)
104  アクセスポイント(AP)
106A〜106D  STA
108  ダウンリンク(DL)
110  アップリンク(UL)
202  ワイヤレスデバイス
204  プロセッサ
206  メモリ
208  ハウジング
210  送信機
212  受信機
214  トランシーバ
216  アンテナ
218  信号検出器
220  デジタル信号プロセッサ(DSP)
222  ユーザインターフェース
226  バスシステム
300  トーンプラン
310  ガードトーン
320  データ/パイロットトーン
330  直流(DC)トーン
600  システム
610  第1のデバイス、ソースデバイス
611  プロセッサ
612  メモリ
613  インターリービングパラメータ
614  インターリービングシステム
615  ワイヤレスインターフェース
620  宛先デバイス
621  プロセッサ
622  メモリ
623  インターリービングパラメータ
624  デインターリービングシステム
625  ワイヤレスインターフェース
630  宛先デバイス
640  宛先デバイス
650  ワイヤレスネットワーク
660  パケット
700  多入力多出力(MIMO)システム
702a〜702c  変調器
704  エンコーダ
706  ストリームパーサ
708a〜708c  空間ストリームインターリーバ
710a〜710c  送信(TX)回路
712a〜712c  アンテナ
714a〜714c  アンテナ
716a〜716c  受信(RX)回路
718  MIMO検出器
720  デコーダ
800  図
805  40MHzの帯域幅の第1の部分
810  40MHzの帯域幅の第2の部分
900  図
905  40MHzの帯域幅の第1の部分
910  40MHzの帯域幅の第2の部分
1000  図
1005a〜1005d  20MHzの帯域幅
1100  図
1105a  部分、第2の部分
1105b  第2の20MHz部分
1105c  第3の40MHz部分
1200  図
【図１】
2019512936.tif 000003
【図２】
2019512936.tif 000004
【図３】
2019512936.tif 000005
【図４】
2019512936.tif 000006
【図５】
2019512936.tif 000007
【図６】
2019512936.tif 000008
【図７】
2019512936.tif 000009
【図８】
2019512936.tif 000010
【図９】
2019512936.tif 000011
【図１０】
2019512936.tif 000012
【図１１】
2019512936.tif 000013
【図１２】
2019512936.tif 000014
【図１３】
2019512936.tif 000015
【図１４】
2019512936.tif 000016
【図１５】
2019512936.tif 000017
【図１６】
2019512936.tif 000018
【図１７】
2019512936.tif 000019
【図１８】
2019512936.tif 000020
【図１９】
2019512936.tif 000021
【図２０】
2019512936.tif 000022
【図２１】
2019512936.tif 000023
【図２２】
2019512936.tif 000024
【図２３】
2019512936.tif 000025
【国際調査報告】
2019512936.tif 000026
2019512936.tif 000027